(57)【要約】組織取得及び取り扱いシステムは、生検デバイス、トレイ、及び容器を含む。生検デバイスは、針、及び組織試料ホルダアセンブリを含む。この針は、組織試料を取得し、これらの組織試料を組織試料ホルダアセンブリへ通すように構成される。トレイは、複数のストリップを含む。トレイは、生検デバイスの組織試料ホルダアセンブリ内に受容されるように構成される。容器は、複数のトレイ受容部を含む。各トレイ受容部は、遠位端部、近位端部、及びトレイチャンバを含み、トレイチャンバは、近位端部と遠位端部との間に延在する。トレイチャンバは、近位端部のトレイ開口部を通りトレイの少なくとも一部を受容するように構成される。【選択図】図８
2019534119.tif 000002
【特許請求の範囲】
【請求項１】
組織取得及び取り扱いシステムであって、
（ａ）生検デバイスであって、前記生検デバイスが針、及び組織試料ホルダアセンブリを含み、前記針は組織試料を取得し、組織試料を前記組織試料ホルダアセンブリに通すように構成される、前記生検デバイスと、
（ｂ）トレイであって、前記トレイは複数のストリップを含み、前記トレイは前記生検デバイスの前記組織試料ホルダアセンブリ内に受容されるように構成される、前記トレイと、
（ｃ）容器であって、前記容器は複数のトレイ受容部を含み、
各トレイ受容部は、
（ｉ）遠位端部、
（ｉｉ）近位端部であって、前記近位端部は少なくとも１つのトレイ開口部を含む、前記近位端部、及び
（ｉｉｉ）前記近位端部と前記遠位端部との間に延在するトレイチャンバであって、前記トレイチャンバは前記近位端部の前記トレイ開口部を通して前記トレイの少なくとも一部を受容するように構成される、前記トレイチャンバ、
を含む、前記容器と、
を備える、前記システム。
【請求項２】
前記容器は、複数のベント開口部をさらに備え、前記複数のベント開口部のうちの少なくとも１つのベント開口部は、各トレイ受容部の前記遠位端部によって画定される、請求項１に記載のシステム。
【請求項３】
各トレイ受容部は、上面及び底面をさらに備える、請求項２に記載のシステム。
【請求項４】
前記複数のベント開口部のうちの少なくとも１つのベント開口部は、前記上面によって画定され、前記複数のベント開口部のうちの少なくとも１つのベント開口部は、前記底面によって画定される、請求項３に記載のシステム。
【請求項５】
各トレイ受容部は、１組の側壁部、及び中央壁部をさらに備える、請求項３に記載のシステム。
【請求項６】
各トレイ受容部の、前記１組の側壁部、及び前記中央壁部は、２つのトレイチャンバを画定する、請求項５に記載のシステム。
【請求項７】
前記２つのトレイチャンバのうちの各トレイチャンバは、前記トレイの前記複数のストリップのうちの単一のストリップを受容するように構成される、請求項６に記載のシステム。
【請求項８】
各トレイ受容部の前記近位端部の前記トレイ開口部は、前記トレイの少なくとも一部を摺動可能に受容するように構成される、請求項１に記載のシステム。
【請求項９】
各トレイ受容部は、各トレイ受容部の前記トレイチャンバ中に前記トレイを下ろすことによって前記トレイの少なくとも一部を受容するように構成される、請求項１に記載のシステム。
【請求項１０】
前記容器は、３つのトレイ受容部を含む、請求項１に記載のシステム。
【請求項１１】
前記トレイは、６つのストリップを含み、各トレイ受容部は、２つのストリップを受容するように構成される、請求項１０に記載のシステム。
【請求項１２】
各トレイ受容部は、上面を含み、前記上面は、前記容器の本体に関して枢動可能である、請求項１に記載のシステム。
【請求項１３】
各トレイ受容部の前記上面は、各トレイ受容部の各上面が一斉に前記本体に関して枢動するように構成されるように相互に連結される、請求項１２に記載のシステム。
【請求項１４】
各トレイ受容部の各上面は、前記容器の前記本体に関して横方向に枢動可能である、請求項１２に記載のシステム。
【請求項１５】
各トレイ受容部の各上面は、前記容器の前記本体に関して長手方向に枢動可能である、請求項１２に記載のシステム。
【請求項１６】
組織試料トレイによる使用のための容器であって、
前記組織試料トレイが組織試料を受容するように構成される複数のストリップを含み、
（ａ）容器本体、及び
（ｂ）複数のトレイ受容部、
を備え、
各トレイ受容部は、
（ｉ）遠位端部、
（ｉｉ）近位端部、及び
（ｉｉｉ）複数の壁部、
を備え、
前記遠位端部、前記近位端部、複数の壁部のすべては１組のトレイチャンバを画定し、各トレイチャンバは前記試料トレイの前記複数のストリップの１つのストリップを受容するように構成され、
前記遠位端部のうちの少なくとも１つ、または前記複数の壁部のうちの１つ以上は複数のベント開口部を画定し、前記複数のベント開口部は前記容器の外面、及び前記１組のトレイチャンバのうちの少なくとも１つのトレイチャンバから固定剤を通し、少なくとも１つの組織試料を固定するように構成され、前記複数の壁部は前記試料トレイの前記複数のストリップの各ストリップを囲み、前記少なくとも１つの組織試料をそれぞれのトレイチャンバ内に維持するように構成される、
前記容器。
【請求項１７】
前記複数の壁部は、上面及び底面を含み、前記上面または前記底面のうちの前記少なくとも１つは、前記複数のベント開口部を画定する、請求項１６に記載の前記容器。
【請求項１８】
前記複数の壁部は、１組の側壁部間に配置される中央壁部をさらに備え、前記中央壁部は、各ベント開口部が前記１組のトレイチャンバの両方のトレイチャンバと連通するように各ベント開口部に関して配置される、請求項１７に記載の前記容器。
【請求項１９】
各トレイ受容部の前記遠位端部は、前記複数のベント開口部のうちの前記ベント開口部の少なくともいくつかを画定し、前記遠位端部によって画定される前記ベント開口部は、円形形状を有する、請求項１６に記載の前記容器。
【請求項２０】
組織試料トレイによる使用のための容器であって、
前記組織試料トレイが組織試料を受容するように構成される複数のストリップを含み、
（ａ）容器本体と、
（ｂ）複数のトレイ受容部であって、各トレイ受容部は、
（ｉ）上面、
（ｉｉ）底面、
（ｉｉｉ）１組の側壁部、及び
（ｉｖ）前記１組の側壁部間に配置される中央壁部、
を含み、前記上面、前記底面、前記側壁部、及び前記中央壁部のすべては１組のトレイチャンバを画定し、前記１組のトレイチャンバの各トレイチャンバは前記組織試料トレイの前記複数のストリップの１つのストリップを受容するように構成される、前記複数のトレイ受容部と、
（ｃ）前記容器本体から近位に延在するタブであって、前記タブはラベルを受容するように構成される、前記タブと、
を備える、前記容器。
【発明の詳細な説明】
【背景技術】
【０００１】
優先権
本出願は、「ＴＩＳＳＵＥ  ＳＴＲＩＰ  ＣＯＮＴＡＩＮＥＲ  ＦＯＲ  ＦＯＲＭＡＬＩＮ  ＦＩＸＡＴＩＯＮ」と題する、２０１６年１０月１１日に出願された、米国仮特許出願第６２／４０６，４７３号に対する優先権を主張する。この開示は、その全体が参照により本明細書に援用される。
【０００２】
生検は、がんまたは他の障害の徴候について組織を検査するために組織試料を採取することである。組織試料は、様々な試料収集装置が関与する様々な医療処置を用いて、様々な方法で得られる。たとえば、生検は、開放的（外科的に組織を除去すること）である場合や、経皮的（たとえば、細針吸引、コア針生検、または真空補助生検による）である場合がある。組織試料が収集された後、組織試料は、適切な試験（組織学的分析など）を実行するように設定されている研究室（例えば、病理学研究室、生物医学研究室など）で分析される。
【０００３】
生検試料は、様々な装置を使用した開放的方法及び経皮的方法を含む様々な医療処置において、様々な方法で得られてきた。例えば、いくつかの生検デバイスは、患者から１つ以上の生検試料を取得するために、片手を使って、また単回の挿入で、使用者によって完全に操作可能であり得る。さらに、いくつかの生検デバイスは、流体（例えば、加圧空気、食塩水、大気、真空化など）の連通のために、電力の伝達のために、及び／またはコマンドの伝達などのために、真空化モジュール及び／または制御モジュールに繋がれ得る。他の生検デバイスは、繋がれることなく、または他の装置と他の方法で連結されることなく、完全に、または少なくとも部分的に動作可能であり得る。生検デバイスは、定位ガイダンス、超音波ガイダンス、ＭＲＩガイダンス、ポジトロンエミッションマンモグラフィ（「ＰＥＭ」ガイダンス）、乳房専用ガンマ撮像（「ＢＳＧＩ」）ガイダンスまたは他の方法の下で使用されることできる。
【０００４】
乳房生検のための最新技術は、真空補助乳房生検である。この分野の現在の教科書は、著者Ｍａｒｋｕｓ  Ｈａｈｎ、Ａｎｎｅ  Ｔａｒｄｉｖｏｎ及びＪａｎ  Ｃａｓｓｅｌｍａｎ、ＩＳＢＮ  ９７８−３−６４２−３４２７０−７で、Ｓｐｒｉｎｇｅｒ  Ｍｅｄｉｚｉｎ  Ｖｅｒｌａｇにより独国で出版された、Ｄｅｖｉｃｏｒ  Ｍｅｄｉｃａｌ  Ｇｅｒｍａｎｙ  ＧｍＢｈによる２０１３年の著作権で、２０１２年１１月１１日に有効とされた「Ｖａｃｕｕｍ−Ａｓｓｉｓｔｅｄ  Ｂｒｅａｓｔ  Ｂｉｏｐｓｙ  ｗｉｔｈ  Ｍａｍｍｏｔｏｍｅ（登録商標）」である。
【０００５】
生検デバイスは、超音波画像ガイダンス、定位（Ｘ線）ガイダンス、ＭＲＩガイダンス、ポジトロンエミッションマンモグラフィ（「ＰＥＭ」ガイダンス）、乳房専用ガンマ撮像（「ＢＳＧＩ」）ガイダンスなどの下で使用できる。各処置には、使用される撮像ガイダンスの形式に基づいた独自の方法がある。以下に、超音波画像誘導下生検処置、定位誘導生検処置及びＭＲＩ誘導生検処置を簡単に説明する。
【０００６】
超音波画像誘導下乳房生検処置では、操作者は超音波トランスデューサを患者の乳房に位置決めし、超音波画像表示スクリーンを見ながら、トランスデューサを操作して、患者の乳房の疑わしい組織を特定することができる。操作者が疑わしい組織を特定したら、操作者は乳房の標的領域に麻酔をかけることができる。乳房に麻酔をかけたら、操作者は、トランスデューサからずれている乳房の外側にある位置で、メスを使用して最初の切開を作成する。つぎに、イントロデューサカニューレ内に同軸に配置される乳房生検プローブの針を、最初の切開部から乳房に挿入する。操作者は、片手で超音波トランスデューサを握り続けながら、他方の手で生検プローブを操作する。表示画面の超音波画像を見ながら、操作者は、疑わしい組織に隣接する場所に針を誘導する。プローブの針内部のカッターを使用して組織を除去し、次いでそれを乳房生検デバイスにある手で取る位置か、組織試料チャンバのいずれかに搬送する。次いで、イントロデューサカニューレが乳房内に配置されたまま、乳房生検デバイスの針を取り外す。次いで、イントロデューサカニューレを使用して、生検部位に生検部位マーカーを配備するために生検マーカーカニューレを導入することができる。生検部位にマーカーを配備すると、生検マーカーカニューレとイントロデューサカニューレの両方を乳房から取り外し、皮膚の切れ目を閉じる医学的に許容されている方法を用いて、切開部を閉じる。
【０００７】
定位画像誘導乳房生検処置では、患者はまず乳房定位アセンブリを含むＸ線装置に対して位置決めされる。いくつかの処置では、患者を腹臥位の向きにし、患者は少なくとも１つの乳房が処置台の開口部を通って垂下している状態で、処置台にうつ伏せに横たわる。次いで、圧迫板と、処置台の下に配置されている定位アセンブリのＸ線レセプタとの間で乳房を圧迫する。乳房生検デバイスを、圧迫板の前方にある、乳房とＸ線源との間の自動ガイド装置に位置決めする。患者の位置決め及び乳房の定位が完了すると、ゼロ度の角度位置にあるＸ線レセプタにより（すなわち、Ｘ線がＸ線レセプタに対して垂直な軸に沿って放出される）、スカウト画像を取得する。患者が所望の位置に位置決めされたことをスカウト画像が示す場合、定位画像対の取得の処置を進める。定位画像対は、Ｘ線源をＸ線レセプタに対して様々な相補的な角度位置（例えば、＋１５°及び−１５°）に向けることによって取得され、各々の位置で少なくとも１つのＸ線画像を取得する。
【０００８】
さらに、定位画像誘導乳房生検処置では、適切な定位画像対を取得すると、操作者は、定位画像対を考察することによって、生検サンプリングが望まれる標的部位を識別することができる。各定位画像に標的部位をマークし、画像処理モジュールを使用して、デカルト座標系における標的部位の正確な位置を計算する。次いで、標的部位の計算された位置を自動誘導装置に伝達する。自動誘導装置は、この情報に応答して、乳房生検プローブを標的部位と直線になる位置に位置決めする。乳房生検デバイスが配置された状態で、操作者は次に生検プローブの針を患者の乳房に発射し、それによって針を標的部位に配置することができる。プローブの針内部のカッターを使用して組織を除去し、次いでそれを乳房生検デバイスにある手動で取る位置か、組織試料チャンバのいずれかに搬送する。生検組織が除去された後、生検マーカーカニューレは、針に挿入され、生検部位に生検部位マーカーを配備すべく使用される。生検部位にマーカーを配備すると、針を乳房から取り外し、皮膚の切れ目を閉じる医学的に許容されている方法を用いて、切開部を閉じる。
【０００９】
ＭＲＩ誘導下乳房生検処置では、患者を台に適切に位置決めし、ターゲティングデバイス（例えば、グリッドとキューブの組み合わせ、またはピラーとポストとクレードルの支持体の組み合わせ）を配備して使用した後、標的となる位置を検証するためにベースラインＭＲＩ画像を撮影する。その後、メスを使って乳房の皮膚を切開する。次に、スリーブに配置された閉塞具によって形成されたアセンブリが切開部を通して挿入され、皮膚の下の乳房組織を貫通する。いくつかの許容されている外科的技術では、閉塞具を取り外し、閉塞具の代わりに撮像ロッドをスリーブ内に挿入する。撮像ロッドは、生検処置用に使用されている撮像技術が検出可能な特徴を含む、適切に成形されたロッドとして、まさに定義される。撮像ロッドのＭＲＩ画像は、スリーブ／閉塞具アセンブリが貫通した部位を特定するために使用される。いくつかの他の許容されている外科的技術では、閉塞具が乳房組織と協働して、ＭＲＩ画像において視覚的に注視可能なアーチファクトが得られる。これらの技術の両方を用いて、生検を行うべき乳房内の位置を確認した後に、閉塞具または撮像ロッドを取り外す。
【００１０】
さらに、ＭＲＩ誘導乳房生検処置では、閉塞具または撮像ロッドは、取り外した後にスリーブ内で乳房生検プローブの針と交換される。プローブの針内部のカッターを使用して組織を除去して、次いでそれを乳房生検デバイスの手で取る位置か、乳房生検デバイスの試料チャンバのいずれかに搬送する。生検組織が除去された後、生検マーカーカニューレが針に挿入され、生検部位に生検部位マーカーを配備すべく使用する。次に針をスリーブから取り外す。任意選択的に、生検部位の再撮像のために撮像ロッドまたは閉塞具を乳房内に戻す。次に、撮像ロッドまたは閉塞具及びスリーブを取り外す。
【００１１】
単なる例示的な生検デバイス及び生検システムの構成要素が、１９９６年６月１８日に発行された「Ｍｅｔｈｏｄ  ａｎｄ  Ａｐｐａｒａｔｕｓ  ｆｏｒ  Ａｕｔｏｍａｔｅｄ  Ｂｉｏｐｓｙ  ａｎｄ  Ｃｏｌｌｅｃｔｉｏｎ  ｏｆ  Ｓｏｆｔ  Ｔｉｓｓｕｅ」と題する米国特許第５，５２６，８２２号、１９９９年７月２７日に発行された「Ａｐｐａｒａｔｕｓ  ｆｏｒ  Ａｕｔｏｍａｔｅｄ  Ｂｉｏｐｓｙ  ａｎｄ  Ｃｏｌｌｅｃｔｉｏｎ  ｏｆ  Ｓｏｆｔ  Ｔｉｓｓｕｅ」と題する米国特許第５，９２８，１６４号、２０００年１月２５日に発行された「Ｖａｃｕｕｍ  Ｃｏｎｔｒｏｌ  Ｓｙｓｔｅｍ  ａｎｄ  Ｍｅｔｈｏｄ  ｆｏｒ  Ａｕｔｏｍａｔｅｄ  Ｂｉｏｐｓｙ  Ｄｅｖｉｃｅ」と題する米国特許第６，０１７，３１６号、２０００年７月１１日に発行された「Ｃｏｎｔｒｏｌ  Ａｐｐａｒａｔｕｓ  ｆｏｒ  ａｎ  Ａｕｔｏｍａｔｅｄ  Ｓｕｒｇｉｃａｌ  Ｂｉｏｐｓｙ  Ｄｅｖｉｃｅ」と題する米国特許第６，０８６，５４４号、２０００年１２月１９日に発行された「Ｆｌｕｉｄ  Ｃｏｌｌｅｃｔｉｏｎ  Ａｐｐａｒａｔｕｓ  ｆｏｒ  ａ  Ｓｕｒｇｉｃａｌ  Ｄｅｖｉｃｅ」と題する米国特許第６，１６２，１８７号、２００２年８月１３日に発行された「Ｍｅｔｈｏｄ  ｆｏｒ  Ｕｓｉｎｇ  ａ  Ｓｕｒｇｉｃａｌ  Ｂｉｏｐｓｙ  Ｓｙｓｔｅｍ  ｗｉｔｈ  Ｒｅｍｏｔｅ  Ｃｏｎｔｒｏｌ  ｆｏｒ  Ｓｅｌｅｃｔｉｎｇ  ａｎ  Ｏｐｅｒａｔｉｏｎａｌ  Ｍｏｄｅ」と題する米国特許第６，４３２，０６５号、２００３年９月１１日に発行された「ＭＲＩ  Ｃｏｍｐａｔｉｂｌｅ  Ｓｕｒｇｉｃａｌ  Ｂｉｏｐｓｙ  Ｄｅｖｉｃｅ」と題する米国特許第６，６２６，８４９号、２００４年６月２２日に発行された「Ｓｕｒｇｉｃａｌ  Ｂｉｏｐｓｙ  Ｓｙｓｔｅｍ  ｗｉｔｈ  Ｒｅｍｏｔｅ  Ｃｏｎｔｒｏｌ  ｆｏｒ  Ｓｅｌｅｃｔｉｎｇ  ａｎ  Ｏｐｅｒａｔｉｏｎａｌ  Ｍｏｄｅ」と題する米国特許第６，７５２，７６８号、２００８年１０月８日に発行された「Ｒｅｍｏｔｅ  Ｔｈｕｍｂｗｈｅｅｌ  ｆｏｒ  ａ  Ｓｕｒｇｉｃａｌ  Ｂｉｏｐｓｙ  Ｄｅｖｉｃｅ」と題する米国特許第７，４４２，１７１号、２０１０年１月１９日に発行された「Ｍａｎｕａｌｌｙ  Ｒｏｔａｔａｂｌｅ  Ｐｉｅｒｃｅｒ」と題する米国特許第７，６４８，４６６号、２０１０年１１月２３日に発行された「Ｂｉｏｐｓｙ  Ｄｅｖｉｃｅ  Ｔｉｓｓｕｅ  Ｐｏｒｔ  Ａｄｊｕｓｔｍｅｎｔ」と題する米国特許第７，８３７，６３２号、２０１０年１２月１日に発行された「Ｃｌｕｔｃｈ  ａｎｄ  Ｖａｌｖｉｎｇ  Ｓｙｓｔｅｍ  ｆｏｒ  Ｔｅｔｈｅｒｌｅｓｓ  Ｂｉｏｐｓｙ  Ｄｅｖｉｃｅ」と題する米国特許第７，８５４，７０６号、２０１１年３月２９日に発行された「Ｓｕｒｇｉｃａｌ  Ｂｉｏｐｓｙ  Ｓｙｓｔｅｍ  ｗｉｔｈ  Ｒｅｍｏｔｅ  Ｃｏｎｔｒｏｌ  ｆｏｒ  Ｓｅｌｅｃｔｉｎｇ  ａｎ  Ｏｐｅｒａｔｉｏｎａｌ  Ｍｏｄｅ」と題する米国特許第７，９１４，４６４号、２０１１年５月１０日に発行された「Ｖａｃｕｕｍ  Ｔｉｍｉｎｇ  Ａｌｇｏｒｉｔｈｍ  ｆｏｒ  Ｂｉｏｐｓｙ  Ｄｅｖｉｃｅ」と題する米国特許第７，９３８，７８６号、２０１１年１２月２１日に発行された「Ｔｉｓｓｕｅ  Ｂｉｏｐｓｙ  Ｄｅｖｉｃｅ  ｗｉｔｈ  Ｒｏｔａｔａｂｌｙ  Ｌ���ｎｋｅｄ  Ｔｈｕｍｂｗｈｅｅｌ  ａｎｄ  Ｔｉｓｓｕｅ  Ｓａｍｐｌｅ  Ｈｏｌｄｅｒ」と題する米国特許第８，０８３，６８７号、２０１２年２月１日に発行された「Ｂｉｏｐｓｙ  Ｓａｍｐｌｅ  Ｓｔｏｒａｇｅ」と題する米国特許第８，１１８，７５５号、２０１２年６月２６日に発行された「Ｔｅｔｈｅｒｌｅｓｓ  Ｂｉｏｐｓｙ  Ｄｅｖｉｃｅ  ｗｉｔｈ  Ｒｅｕｓａｂｌｅ  Ｐｏｒｔｉｏｎ」と題する米国特許第８，２０６，３１６号、２０１２年８月１４日に発行された「Ｂｉｏｐｓｙ  Ｄｅｖｉｃｅ  ｗｉｔｈ  Ｒｏｔａｔａｂｌｅ  Ｔｉｓｓｕｅ  Ｓａｍｐｌｅ  Ｈｏｌｄｅｒ」と題する米国特許第８，２４１，２２６号、２０１２年８月２８日に発行された「Ｒｅｖｏｌｖｉｎｇ  Ｔｉｓｓｕｅ  Ｓａｍｐｌｅ  Ｈｏｌｄｅｒ  ｆｏｒ  Ｂｉｏｐｓｙ  Ｄｅｖｉｃｅ」と題する米国特許第８，２５１，９１６号、２００９年５月２１日に公開され、２０１３年６月４日に発行された「Ｉｃｏｎ−Ｂａｓｅｄ  Ｕｓｅｒ  Ｉｎｔｅｒｆａｃｅ  ｏｎ  Ｂｉｏｐｓｙ  Ｓｙｓｔｅｍ  Ｃｏｎｔｒｏｌ  Ｍｏｄｕｌｅ」と題する米国特許第８，４５４，５３１号、２０１３年９月１０日に発行された「Ｂｉｏｐｓｙ  Ｍａｒｋｅｒ  Ｄｅｌｉｖｅｒｙ  Ｄｅｖｉｃｅ」と題する米国特許第８，５３２，７４７号、２０１４年４月２２日に発行された「Ｂｉｏｐｓｙ  Ｄｅｖｉｃｅ  ｗｉｔｈ  Ｄｉｓｃｒｅｔｅ  Ｔｉｓｓｕｅ  Ｃｈａｍｂｅｒｓ」と題する米国特許第８，７０２，６２３号、２０１４年６月１１日に発行された「Ｈａｎｄｈｅｌｄ  Ｂｉｏｐｓｙ  Ｄｅｖｉｃｅ  ｗｉｔｈ  Ｎｅｅｄｌｅ  Ｆｉｒｉｎｇ」と題する米国特許第８，７６４，６８０号、２０１４年８月１２日に発行された「Ｎｅｅｄｌｅ  Ａｓｓｅｍｂｌｙ  ａｎｄ  Ｂｌａｄｅ  Ａｓｓｅｍｂｌｙ  ｆｏｒ  Ｂｉｏｐｓｙ  Ｄｅｖｉｃｅ」と題する米国特許第８，８０１，７４２号、２０１４年１０月１４日に発行された「Ｂｉｏｐｓｙ  Ｄｅｖｉｃｅ  ｗｉｔｈ  Ｍｏｔｏｒｉｚｅｄ  Ｎｅｅｄｌｅ  Ｆｉｒｉｎｇ」と題する米国特許第８，８５８，４６５号、２０１５年１月２０日に発行された「Ａｃｃｅｓｓ  Ｃｈａｍｂｅｒ  ａｎｄ  Ｍａｒｋｅｒｓ  ｆｏｒ  Ｂｉｏｐｓｙ  Ｄｅｖｉｃｅ」と題する米国特許第８，９３８，２８５号、２０１５年８月４日に発行された「Ｂｉｏｐｓｙ  Ｓｙｓｔｅｍ  ｗｉｔｈ  Ｖａｃｕｕｍ  Ｃｏｎｔｒｏｌ  Ｍｏｄｕｌｅ」と題する米国特許第９，０９５，３２６号、２０１５年８月４日に発行された「Ｂｉｏｐｓｙ  Ｓｙｓｔｅｍ  ｗｉｔｈ  Ｖａｃｕｕｍ  Ｃｏｎｔｒｏｌ  Ｍｏｄｕｌｅ」と題する米国特許第９，０９５，３２６号、２０１６年５月３日に発行された「Ｂｉｏｐｓｙ  Ｄｅｖｉｃｅ  Ｔｉｓｓｕｅ  Ｓａｍｐｌｅ  Ｈｏｌｄｅｒ  ｗｉｔｈ  Ｂｕｌｋ  Ｃｈａｍｂｅｒ  ａｎｄ  Ｐａｔｈｏｌｏｇｙ  Ｃｈａｍｂｅｒ」と題する米国特許第９，３２６，７５５号、及び２０１６年５月２４日に発行された「Ｐｒｅｓｅｎｔａｔｉｏｎ  ｏｆ  Ｂｉｏｐｓｙ  Ｓａｍｐｌｅ  ｂｙ  Ｂｉｏｐｓｙ  Ｄｅｖｉｃｅ」と題する米国特許第９，３４５，４５７号に開示されている。上に引用した各米国特許の開示は、参照により本明細書に組み込まれる。
【００１２】
追加の例示的な生検デバイス及び生検システムの構成要素は、２００６年４月６日に公開され、現在は放棄されている「Ｂｉｏｐｓｙ  Ａｐｐａｒａｔｕｓ  ａｎｄ  Ｍｅｔｈｏｄ」と題する米国特許公開第２００６／００７４３４５号、２００９年５月２１日に公開され、現在は放棄されている「Ｇｒａｐｈｉｃａｌ  Ｕｓｅｒ  Ｉｎｔｅｒｆａｃｅ  Ｆｏｒ  Ｂｉｏｐｓｙ  Ｓｙｓｔｅｍ  Ｃｏｎｔｒｏｌ  Ｍｏｄｕｌｅ」と題する米国特許公開第２００９／０１３１８２１号、２０１０年６月１７日に公開され、現在放棄されている「Ｈａｎｄ  Ａｃｔｕａｔｅｄ  Ｔｅｔｈｅｒｌｅｓｓ  Ｂｉｏｐｓｙ  Ｄｅｖｉｃｅ  ｗｉｔｈ  Ｐｉｓｔｏｌ  Ｇｒｉｐ」と題する米国特許公開第２０１０／０１５２６１０号、２０１０年６月２４日に公開され、現在放棄されている「Ｂｉｏｐｓｙ  Ｄｅｖｉｃｅ  ｗｉｔｈ  Ｃｅｎｔｒａｌ  Ｔｈｕｍｂｗｈｅｅｌ」と題する米国特許公開第２０１０／０１６０８１９号、２０１３年６月６日に公開された「Ｂｉｏｐｓｙ  Ｄｅｖｉｃｅ  ｗｉｔｈ  Ｓｌｉｄｅ−Ｉｎ  Ｐｒｏｂｅ」と題する米国特許公開第２０１３／０１４４１８８号、及び２０１３年１２月５日に公開され、現在放棄されている「Ｃｏｎｔｒｏｌ  ｆｏｒ  Ｂｉｏｐｓｙ  Ｄｅｖｉｃｅ」と題する米国特許公開第２０１３／０３２４８８２号に開示されている。上に引用した各米国非仮特許出願の開示は、参照により本明細書に援用される。
【００１３】
２０１４年９月１８日に公開された「Ｂｉｏｐｓｙ  ｄｅｖｉｃｅ」と題する米国公開第２０１４／０２７５９９９号。２０１６年６月３０日に公開された「Ｂｉｏｐｓｙ  Ｄｅｖｉｃｅ」と題する米国公開第２０１６／０１８３９２８号。これらの公開された特許出願の両方は、プローブ、ホルスタ、及び組織試料を収集するための組織試料ホルダを含む生検デバイスのいくつかの態様を記載し、主張する。プローブは、針及び中空カッターを含む。組織試料ホルダは、少なくとも１つの可撓性部材によって連結された複数のストリップを受容するように構成される複数のチャンバを有するハウジングを含む。可撓性部材は、ストリップが平らな構成と弓形構成との間で変化することができるように、ストリップが互いに対して枢動することができるように構成される。組織試料ホルダは、各チャンバをカッター内腔に連動させるように回転自在であり、組織試料をストリップに収集できるようにする。ストリップを組織試料ホルダから取り外し、組織試料の撮像のために組織試料ホルダ容器に入れることができる。
【００１４】
Ｌｅｉｃａ  Ｂｉｏｓｙｓｔｅｍｓは、ワークフローソリューション及び自動化の世界的な主導者であり、解剖病理学研究所や研究者に、試料の準備や染色から撮像や報告までの病理学的プロセスにおける各ステップ用の包括的な範囲の製品を提供している。Ｌｅｉｃａ  Ｂｉｏｓｙｓｔｅｍｓは、ダウンロードを通じてアクセス可能で、病理学的プロセスの様々な側面に関する情報を含む情報パンフレットをＷｅｂサイトに公開している。そのパンフレットには次のことが含まれるが、それらに限定されない。Ｇｅｏｆｆｒｅｙ  Ｒｏｌｌｓによる「Ａｎ  Ｉｎｔｒｏｄｕｃｔｉｏｎ  ｔｏ  Ｔｉｓｓｕｅ  Ｐｒｏｃｅｓｓｉｎｇ」、「１０１  Ｓｔｅｐｓ  ｔｏ  Ｂｅｔｔｅｒ  Ｈｉｓｔｏｌｏｇｙ」、及び「Ｔｏｔａｌ  Ｈｉｓｔｏｌｏｇｙ  Ｓｏｌｕｔｉｏｎｓ」、それらのすべてはｗｗｗ．ｌｅｉｃａｂｉｏｓｙｓｔｅｍｓ．ｃｏｍで入手できる。
【００１５】
従来の技術及び器具を使用した組織処理間のいくつかのステップでは、組織を手動で操作することが必要な場合がある。この手動での操作は、時間を要し、組織を処理している間に人的エラーにより誤りが起こる可能性を生じさせる。組織を処理する間のありとあらゆる誤りによって、正確な診断を得るという所望の目的を達成するには組織の病理学的検査がひときわ問題を孕むものになる。したがって、現代の組織処理の所望の目標が組織を手動で操作する必要性を減少させることである旨が理解されよう。
【００１６】
２０１３年１２月２７日に公開された「Ｂｉｏｐｓｙ  Ｔｉｓｓｕｅ  Ｓａｍｐｌｅ  Ｔｒａｎｓｐｏｒｔ  Ｄｅｖｉｃｅ  ａｎｄ  Ｍｅｔｈｏｄ  ｏｆ  Ｕｓｉｎｇ  Ｔｈｅｒｅｏｆ」と題する国際特許公開第ＷＯ２０１３／１９２６０６号は、組織試料を保持するための保持構造であって、側壁に形成された試料アクセス開口部を有する保持構造、組織保管アセンブリを受容するハウジングであって、組織保管アセンブリがハウジング内に挿入されるアセンブリ挿入開口部を備えるハウジング、組織保管アセンブリの試料容器の保持構造の試料アクセス開口部と係合して実質的にシールするように構成されているシール部材、及びハウジングのアセンブリ挿入開口部と係合して実質的にシールする蓋を有する試料容器を有する組織保管アセンブリを含む生検組織試料輸送装置及びその使用方法を記載している。
【００１７】
２０１３年１２月２７日に公開された「Ｔｉｓｓｕｅ  Ｓａｍｐｌｅ  Ｃｏｎｔａｉｎｅｒ  ａｎｄ  Ｍｅｔｈｏｄｓ」と題する国際特許公開第ＷＯ２０１３／１９２６０７号は、所与の向きで複数の組織試料を受容するように構成され、区画壁によって画定される複数の試料保持部を含む基部、及びこの基部をシールによって係合するように構成される蓋を含む組織試料容器を記載する。試料保持部は、基部が区画壁と協働して、それぞれの試料保持部内で組織試料の所与の向き及び同一性を維持するように、特定の組織試料のサイズ及び形状に対応するようなサイズ及び形状である。
【００１８】
２０１４年９月２５日に公開された「Ｂｉｏｐｓｙ  Ｄｅｖｉｃｅ」と題する国際特許公開第ＷＯ２０１４／１５１６０３号は、プローブ、ホルスタ、及び組織試料を収集するための組織試料ホルダを含む生検デバイスを記載している。プローブは、針及び中空カッターを含む。組織試料ホルダは、少なくとも１つの可撓性部材によって接続された複数のストリップを収容するように構成されている複数のチャンバを有するハウジングを含む。可撓性部材は、ストリップが平坦な構成と弓状の構成との間で変化することができるように、ストリップが互いに対して旋回できるように構成される。組織試料ホルダは、各チャンバをカッター内腔に連続的に連動させるように回転自在であり、組織試料をストリップに収集できるようにする。ストリップを組織試料ホルダから取り外し、組織試料の撮像のために組織試料ホルダ容器に入れることができる。
【００１９】
２０１０年５月１１日に発行された「Ｓｙｓｔｅｍ  ａｎｄ  Ａｐｐａｒａｔｕｓ  ｆｏｒ  Ｒａｐｉｄ  Ｓｔｅｒｅｏｔａｃｔｉｃ  Ｂｒｅａｓｔ  Ｂｉｏｐｓｙ  Ａｎａｌｙｓｉｓ」と題する米国特許第７，７１５，５２３号、及び２０１３年８月６日に発行された「Ｓｙｓｔｅｍ  ａｎｄ  Ａｐｐａｒａｔｕｓ  ｆｏｒ  Ｒａｐｉｄ  Ｓｔｅｒｅｏｔａｃｔｉｃ  Ｂｒｅａｓｔ  Ｂｉｏｐｓｙ  Ａｎａｌｙｓｉｓ」と題する米国特許第８，５０３，６０２号は、両方ともＸ線源、デジタル撮像レセプタ、及び生検検体カセットを含み得る定位乳房生検装置及びシステムを記載しており、それにおいてＸ線源は、生検の検体の妨げられない照明を可能にし、それによって生検Ｘ線画像を直接、即時的な分析用の処置室で生成するために、作動している生検通路ビーム軸からＸ線源のビーム軸をずらすための手段が設けられる。利点のいくつかの例は、生検の検体のデジタル画像のより迅速な分析、画像後処理能力、ならびに処置時間の短縮及び患者の出血合併症及び針の不快感の減少であり得るが、これらに限定されない。
【００２０】
２０１６年７月１６日に発行された「Ｔｉｓｓｕｅ  Ｈａｎｄｌｉｎｇ  Ｓｙｓｔｅｍ  ｗｉｔｈ  Ｒｅｄｕｃｅｄ  Ｏｐｅｒａｔｏｒ  Ｅｘｐｏｓｕｒｅ」と題する米国特許第８，４８５，９８７号は、少なくとも１つの組織試料を採取して患者の体の外側の１点に運ぶことができる組織収容及び組織切断構成要素を有する侵襲ユニットを有する生検デバイスを含む組織操作システムを記載している。組織操作システムはさらに、少なくとも１つの組織試料を取り出すために生検デバイスの組織収容構成要素との取り外し可能に作動するような係合をもたらすよう適合された組織収集装置を含む。さらに、組織操作装置は、少なくとも１つの組織試料、組織収集装置全体、または少なくとも１つの組織試料を含む収集装置の一部を収容するように構成された組織保管容器を含む。組織保管容器はさらに、ある量の保存剤を収容するように構成されている。組織操作システムはまた、組織保管容器に気密に嵌合または連結するように適合されている保存剤を含む容器を含む。
【００２１】
２０１４年８月１２日に発行された「Ｔｉｓｓｕｅ  Ｃｏｎｔａｉｎｅｒ  ｆｏｒ  Ｍｏｌｅｃｕｌａｒ  ａｎｄ  Ｈｉｓｔｏｌｏｇｙ  Ｄｉａｇｎｏｓｔｉｃｓ  Ｉｎｃｏｒｐｏｒａｔｉｎｇ  ａ  Ｂｒｅａｋａｂｌｅ  Ｍｅｍｂｒａｎｅ」、米国特許第８，８０２，０３４号は、分子診断試験及び／または組織学的試験のための生物学的試料を保存するための容器を記載する。容器は、その中に試料ホルダを受容するための第１のチャンバ、第２のチャンバ、及び容器を封入するためのクロージャーを含む。突き刺し可能なホイルといった破れやすい膜が容器内に延在しており、２つのチャンバを分離している。破れやすい膜が破られると、流体は第１のチャンバと第２のチャンバの間を通ることができる。膜は、押し下げ可能な部材または回転自在なキャリアなどのクロージャー上のアクチベーターを通して破ることができ、それによって試料ホルダが膜を突き破る。
【００２２】
２０１６年６月１６日に発行された、「Ｔｉｓｓｕｅ  Ｃｏｎｔａｉｎｅｒ  ｆｏｒ  Ｍｏｌｅｃｕｌａｒ  ａｎｄ  Ｈｉｓｔｏｌｏｇｙ  Ｄｉａｇｎｏｓｔｉｃｓ  Ｉｎｃｏｒｐｏｒａｔｉｎｇ  ａ  Ｂｒｅａｋａｂｌｅ  Ｍｅｍｂｒａｎｅ」、米国特許第９，０５６，３１７号は、分子診断試験及び／または組織学的試験のための生物学的試料を保存するための容器を記載している。容器は、その中に試料ホルダを受容するための第１のチャンバ、第２のチャンバ、及び容器を封入するためのクロージャーを含む。突き刺し可能なホイルなどの破れやすい膜が容器内に延在しており、２つのチャンバを分離している。破れやすい膜が破られると、流体は第１のチャンバと第２のチャンバの間を通ることができる。膜は、押し下げ可能な部材または回転自在なキャリアなどのクロージャー上のアクチベーターを通して破ることができ、それによって試料ホルダが膜を突き破る。
【００２３】
生検試料を採取し処理するためにいくつかのシステムや方法が作成されて使用されてきたが、本発明者に先行して添付の特許請求の範囲に記載された発明を製造または使用した者は誰もいなかったと考えられる。
【００２４】
本明細書は、本発明を特に指摘し明確に主張する特許請求の範囲で終わるが、本発明は、添付の図面と共に得られる以下の特定の例の説明からよりよく理解されると考えられる。図面において、類似している参照符号は同一の要素を特定している。図面では、破線で示す場合、いくつかの構成要素または構成要素の一部をファントムで示している。
【図面の簡単な説明】
【００２５】
【図１】例示的な生検デバイスの斜視図を示す。
【図２】図１の生検デバイスの組織試料ホルダアセンブリの拡大斜視図を示す。
【図３】組織試料トレイを弓形構成で含む、図２の組織試料ホルダアセンブリの組織試料トレイの斜視図を示す。
【図４】平らな構成における、図３の組織試料トレイの斜視図を示す。
【図５】図３のトレイによる使用のための例示的な容器の斜視図を示す。
【図６】図５の容器の他の斜視図を示す。
【図７】図５の線７−７沿いに断面を取った、図５の容器の斜視断面図を示す。
【図８】容器に隣接して図３のトレイを配置する、図５の容器のさらに他の斜視図を示す。
【図９】容器内に図３のトレイの少なくとも一部を配置する、図５の容器のさらに他の斜視図を示す。
【図１０】図９の線１０−１０沿いに断面を取った、図５の容器内に配置される図３のトレイの側断面図を示す。
【図１１】カップ内に配置される図５の容器、及び図３のトレイの正面図を示す。
【図１２】図１１のカップ内に配置される図５の容器、及び図３のトレイの上面図を示す。
【図１３】図３のトレイによる使用のための例示的な代替の容器の斜視図を示す。
【図１４】図３のトレイによる使用のための他の例示的な代替の容器の斜視図を示す。
【図１５】図３のトレイによる使用のためのさらに他の例示的な代替の容器の斜視図を示す。
【図１６】図３のトレイによる使用のためのさらに他の例示的な代替の容器の斜視図を示す。
【図１７】図１６の容器の他の斜視図を示す。
【図１８】容器に隣接して図３のトレイを配置する、図１６の容器のさらに他の斜視図を示す。
【図１９】容器内に図３のトレイの少なくとも一部を配置し、弓形位置に容器を配置する、図１６の容器のさらに他の斜視図を示す。
【図２０】図１１のカップ内に配置される図１６の容器、及び図３のトレイの上面図を示す。
【図２１】図１１のカップ内に配置される図１６の容器、及び図３のトレイの斜視図を示す。
【発明を実施するための形態】
【００２６】
図面は、決して限定することを意図するものではなく、本発明の様々な実施形態が必ずしも図面に描かれていないものを含め、様々な他の方法で実行されることができることを企図している。本明細書に組み込まれ、その一部を形成する添付の図面は、本発明のいくつかの態様を例示し、その説明とともに本発明の原理を説明するのに役立つ。しかし、本発明が示された正確な構成に限定されないことが理解されよう。
【００２７】
本発明のある一定の例の以下の説明は、本発明の範囲を限定するために利用されるべきではない。本発明の他の例、特徴、態様、実施形態、及び利点は、例示であり、本発明を実施するために企図される最良の形態の１つである以下の説明から当業者に明白になる。理解されるように、本発明は、すべて本発明から逸脱していなければ、他の異なる明白な態様が可能である。したがって、図面及び説明は、本質的に例示であり、限定するものではないとみなされるべきである。
【００２８】
Ｉ．例示的な生検デバイス
図１は、例示的な生検デバイス（１０）を示し、この生検デバイスは、組織試料を患者から取得するために使用されることが可能である。生検デバイス（１０）は、プローブアセンブリ（２０）、ホルスタアセンブリ（３０）、及び組織試料ホルダアセンブリ（４０）を含む。プローブアセンブリ（２０）は、遠位に突出する針（２２）を含み、この針は、組織穿刺先端部（２４）、及びこの先端部（２４）へ近位に位置する横方向アパーチャ（２６）を含む。チューブラカッター（図示せず）は、摺動可能に針（２２）内に配置され、横方向アパーチャ（２６）を通り突出している組織を切断するように動作可能である。切断された組織試料は、下記のように、組織試料ホルダアセンブリ（４０）へカッターの内腔を近位に通過する。いくつかの変形において、プローブアセンブリ（２０）は、制御モジュールと継合され、この制御モジュールは、プローブアセンブリ（２０）への吸引、生理食塩水、及び／または大気圧の連通を提供するように動作可能である。
【００２９】
ホルスタアセンブリ（３０）は、カッターを駆動させるように動作可能である特徴、針（２２）を遠位に組織中に発射させるように動作可能である特徴、及び針（２２）の長手方向軸周囲で針（２２）を回転させるように動作可能である特徴を有する。いくつかの変形において、ホルスタアセンブリ（３０）は、ケーブルを介して制御モジュールと継合し、このケーブルは、電力及び／または他の電気信号をホルスタアセンブリ（３０）へ提供するように動作可能である。加えて、または代替に、ホルスタアセンブリ（３０）は、原動力を与えてプローブアセンブリ（２０）のカッターを駆動させるために、加圧媒体（たとえば、空気、液圧流体など）を受容することができる。
【００３０】
本発明の例において、プローブアセンブリ（２０）及びホルスタアセンブリ（３０）は、定位画像誘導生検処置における使用のために構成される。単なる例として、プローブアセンブリ（２０）及びホルスタアセンブリ（３０）は、「Ｂｉｏｐｓｙ  Ｓｙｓｔｅｍ」と題する、２０１４年２月６日に公開された、米国公開第２０１４／００３９３４３号の少なくとも一部の教示に従い構築され、動作可能であることができ、この開示は、本明細書に参照により援用される。代替に、プローブアセンブリ（２０）及びホルスタアセンブリ（３０）は、超音波画像誘導生検処置及び／またはＭＲＩ誘導生検処置における使用のために構成される（またはその他の処置において使用される）ことができる。さらに単なる例として、プローブアセンブリ（２０）及びホルスタアセンブリ（３０）は、「Ｂｉｏｐｓｙ  Ｄｅｖｉｃｅ  ｗｉｔｈ  Ｓｌｉｄｅ−Ｉｎ  Ｐｒｏｂｅ」と題する、２０１３年６月１３日に公開された、米国公開第２０１３／０１５０７５１号の教示の少なくともいくつかに従い構築され、動作可能であることができ、この開示は、本明細書に参照により援用される。代替に、プローブアセンブリ（２０）及びホルスタアセンブリ（３０）は、いずれかの他の適切な方式において構築され、動作可能であることができる。
【００３１】
上記のように、組織試料ホルダアセンブリ（４０）は、横方向アパーチャ（２６）を通り突出する組織からカッターによって切断される組織試料を受容するように構成される。図２に示されるように、この例の組織試料ホルダアセンブリ（４０）は、円筒形外側カバー（４２）を含み、この円筒形外側カバーは、プローブアセンブリ（２０）と取り外し可能に継合する。回転自在部材（４４）は、カバー（４２）内に回転自在に置かれる。回転自在部材（４４）は、ストリップ受容チャンバ（４６）及びプラグチャンバ（４８）の角度のある間隔で置かれたアレイを画定し、チャンバ（４６、４８）が合わせてアニュラー配置にあるようにする。回転自在部材（４４）は、プローブアセンブリ（２０）に関して回転自在であり、カッターに関してチャンバ（４６、４８）を選択的に連動させる。いくつかの変形において、ホルスタアセンブリ（３０）内の駆動構成要素は、回転自在部材（４４）の回転を駆動させる。いくつかの他の変形において、操作者が組織試料ホルダアセンブリ（４０）のある部分を手動で把持することによって、回転自在部材（４４）を手動で駆動させる。
【００３２】
また図２に示されるように、組織試料ホルダアセンブリ（４０）は、１組の組織試料トレイ（１００）をさらに含む。各組織試料トレイ（１００）は、１セットの遠位に突出する組織試料ストリップ（１１０）を含む。各組織試料ストリップ（１１０）は、回転自在部材（４４）の対応するストリップ受容チャンバ（４６）中への取り外し可能な挿入のために構成される。各組織試料ストリップ（１１０）は、底面（１１４）によって接合される１セットのストリップ側壁部（１１２）を含む。ストリップ側壁部（１１２）及び底面（１１４）は、協働して組織受容チャンバ（１２０）を画定し、各組織試料ストリップ（１１０）が対応する組織試料を受容するように構成されるようにする。底面（１１４）は、複数の開口部（１１６）を画定し、これらの開口部は、そこを通る組織試料の連通を妨げながら、そこを通る吸引及び流体の連通を提供するような寸法に作られる。吸引がストリップ受容チャンバ（４６）を通り伝えられ、組織受容チャンバ（１２０）に開口部（１１６）を介して到達することができることを理解するであろう。また、本発明の例の各組織試料ストリップ（１１０）は、遠位開口部（１２２）を含む。遠位開口部（１２２）は、切断された組織試料がそこを通過し、この組織試料が組織受容チャンバ（１２０）中に蓄積することを可能にするような寸法に作られ、この中に蓄積することを可能にするように構成される。
【００３３】
図３から４に最もよく示されるように、各組織試料トレイ（１００）は、近位に突出するプルタブ（１３０）をさらに備え、このプルタブは、タブ開口部（１３２）を画定する。プルタブ（１３０）は、操作者による組織試料トレイ（１００）の把持を容易にするように構成される。また組織試料トレイ（１００）は、１セットの近位パネル（１４０）を含む。本発明の例において、２つの組織試料ストリップ（１１０）は、１セットのパネル（１４０）の対応するパネル（１４０）に関して遠位に突出する。プルタブ（１３０）は、中央に置かれたパネル（１４０）から近位に突出する。リビングヒンジ（１４２）は、パネル（１４０）を合わせて可撓に接合する。リビングヒンジ（１４２）は、図３に示される弓形構成と、図４に示される平らな構成との間で組織試料トレイ（１００）の移行を可能にする。弓形構成において、組織試料トレイ（１００）は、回転自在部材（４４）に装入するように構成される。平らな構成において、組織試料トレイ（１００）は、以下により詳細に記載するように、容器（２００）に装入するように構成される。
【００３４】
上記のように、回転自在部材（４４）は、プローブアセンブリ（２０）に関して回転自在であり、カッターに関してストリップ受容チャンバ（４６）を選択的に連動させることにより、カッターに関して組織試料ストリップ（１１０）の組織受容チャンバ（１２０）を選択的に連動させる。また回転自在部材（４４）は、カッターに関してプラグ受容チャンバ（４８）を連動させるように動作可能である。回転自在部材（４４）がカッターに関してプラグ受容チャンバ（４８）を連動させるように角度のある位置に置かれるときに、プラグ（５０）は、プラグ受容チャンバ（４８）から取り外され、カッター及び針アセンブリ（２２）を通して生検部位マーカーアプライヤー機器（またはいくつかの他の種類の機器）の挿入を可能にすることにより、横方向アパーチャ（２６）を介して生検部位へのアクセス経路を提供することができる。その他の方法により、生検デバイス（１０）の動作中にプラグ（５０）をプラグ受容チャンバ（４８）内に残すことにより、プラグ受容チャンバ（４８）をシールすることができる。
【００３５】
単なる例として、組織試料ホルダ（４０）は、「Ｂｉｏｐｓｙ  Ｓｙｓｔｅｍ」と題する、２０１４年２月６日に公開され、その開示が本明細書に参照により援用される、米国公開第２０１４／００３９３４３号、及び／または「Ｂｉｏｐｓｙ  Ｄｅｖｉｃｅ」と題する、２０１４年９月１８日に公開され、その開示が本明細書に参照により援用される、米国公開第２０１４／０２７５９９９号の教示の少なくともいくつかに従って構築され、動作可能であることができる。
【００３６】
ＩＩ．組織試料トレイを支持する例示的な容器
上記のように、組織試料トレイ（１００）は、組織試料トレイ（１００）が図３に示される弓形構成と、図４に示される平らな構成との間で容易に移行することができるように可撓である。この可撓性は、操作者が当面の必要性に基づき組織試料トレイ（１００）の構成を選択的に変更することを可能にするために有益であることができるが、この可撓性は、組織試料トレイ（１００）を取り扱う方法に基づき組織試料ストリップ（１１０）の位置決め及び配置を維持するために、構造上の支持を組織試料トレイ（１００）へ提供する必要性も与え得る。
【００３７】
加えて、ストリップ側壁部（１１２）及び底面（１１４）によって提供される「Ｕ」字形は、操作者が組織試料を各組織受容チャンバ（１２０）から（すなわち、側壁部（１１２）間に画定される開口部を介して）容易に引き抜くことを可能にすることができるが、特に組織試料トレイ（１００）が図４に示される平らな構成にあるときに、各組織受容チャンバ（１２０）の一時的な封入を提供し、組織試料をそれぞれの組織受容チャンバ（１２０）中に完全に包含することが望ましい可能性がある。
【００３８】
単なる例として、組織試料がＸ線撮影マシンなどの撮像マシン内に置かれているときに、それぞれの組織受容チャンバ（１２０）内で組織試料を完全に包含する各組織受容チャンバ（１２０）の封入と同様に、上述の追加の構造上の支持を組織試料トレイ（１００）へ提供することが望ましい可能性がある。同様に、組織試料が固定流体（たとえば、ホルマリン）中に包含されるときに、それぞれの組織受容チャンバ（１２０）内に組織試料を完全に包含する各組織受容チャンバ（１２０）の封入と同様に、上述の追加の構造上の支持を組織試料トレイ（１００）へ提供することが望ましい可能性がある。
【００３９】
図５から７は、例示的な容器（２００）を示し、この容器は、それぞれの組織受容チャンバ（１２０）内で組織試料を完全に包含する各組織受容チャンバ（１２０）の封入と同様に、構造上の支持を組織試料トレイ（１００）へ提供するように動作可能である。この例の容器（２００）は、複数のトレイ受容部（２１２）を画定する本体（２１０）を含む。より詳細に下記に説明するように、容器（２００）は、その中で組織試料トレイ（１００）を摺動可能に受容し、組織試料トレイ（１００）の少なくとも一部を支持して、封入するように一般的に構成される。またより詳細に以下に説明するように、本発明の例の容器（２００）は、組織試料トレイ（１００）が上述の平らな構成において対応して支持されるように、一般的に剛性で平らな構成にある。容器（２００）が一般的に剛性であるように本明細書に記載されているが、いくつかの例において、容器（２００）の様々な構成要素が撓み、またはその他の方法により動き、容器（２００）により支持されたままで弓形構成への組織試料トレイ（１００）の移行を支持するように構成されることが可能であることを理解するであろう。容器（２００）の可撓性構成要素の適切な例は、より詳細に以下に説明する。
【００４０】
本発明の例の本体（２１０）は、３つの別々であるが一体化して連結されたトレイ受容部（２１２）を含む。一般にトレイ受容部（２１２）は、組織試料トレイ（１００）の一部を受容し、組織受容トレイ（１００）の一部を支持して、封入するように構成される。特に、またより詳細に以下に説明するように、各トレイ受容部（２１２）は、組織試料トレイ（１００）の１組の組織試料ストリップ（１１０）を受容するように構成される。各トレイ受容部（２１２）は、遠位端部（２１４）、近位端部（２１８）、１組の側壁部（２２２）、中央壁部（２２４）、上面（２２６）、及び底面（２３０）を備える。より詳細に以下に記載されるように、遠位端部（２１４）、近位端部（２１８）、側壁部（２２２）、中央壁部（２２４）、上面（２２６）、及び底面（２３０）は、すべて合わせて１組のトレイチャンバ（２３４）を画定する。
【００４１】
図５に最もよく示されるように、各トレイ受容部（２１２）の各遠位端部（２１４）は、遠位端部（２１４）が本体（２１０）にわたり横方向に延在する単一の遠位端部（２１４）を画定するように、対応して隣接する遠位端部（２１４）と一体化する。本発明の例の遠位端部（２１４）が一体化して連結されるように示されるが、他の例において、遠位端部（２１４）が特定の点で合わせて固着される別々の構成要素であることが可能であることを理解するであろう。それにもかかわらず、各遠位端部（２１４）は、複数のベント開口部（２１６）を含む。より詳細に以下に記載されるように、ベント開口部（２１６）は、流体が各遠位端部（２１４）を通り、トレイチャンバ（２３４）に流入し、これらのトレイチャンバから流出することを可能にするように構成される。
【００４２】
側壁部（２２２）、中央壁部（２２４）、上面（２２６）、及び底面（２３０）のすべては、遠位端部（２１４）から近位端部（２１８）へ近位に延在する。一般的に近位端部（２１８）は、１組のトレイ開口部（２２０）を画定する。一般的に、トレイ開口部（２２０）は、トレイチャンバ（２３４）に対して開口する。したがって、各トレイ開口部（２２０）が組織試料トレイ（１００）の対応する組織試料ストリップ（１１０）を受容し、各組織試料ストリップ（１１０）の少なくとも一部をトレイチャンバ（２３４）内で受容することを可能にするように構成されることを理解するであろう。
【００４３】
遠位端部（２１４）と近位端部（２１８）との間で、各上面（２２６）及び底面（２３０）は、複数のベント開口部（２２８、２３２）を画定する。各ベント開口部（２２８、２３２）は、長手方向に細長い構成に一般的に設定される。しかしながら、他の例において、いずれかの他の適切な構成を使用することが可能であることを理解するであろう。たとえば、いくつかの例において、ベント開口部（２２８、２３２）は、遠位端部（２１４）と関連するベント開口部（２１６）（たとえば、複数の楕円形または円形開口部）の形態を取ることができる。当然、本明細書の教示を考慮して当業者に明らかであるように、いずれかの他の適切な形状を使用することができる。
【００４４】
本発明の例のベント開口部（２２８、２３２）は、容器（２００）の外面と、各トレイ受容部（２１２）の各トレイチャンバ（２３４）との間で連通するように各々が構成される。図７に最もよく示されるように、各ベント開口部（２２８、２３２）は、中央壁部（２２４）に直接隣接し、単一のベント開口部（２２８、２３２）が中央壁部（２２４）の存在にもかかわらずトレイチャンバ（２３４）の両方と連通するように構成されるようにする。この構成によりベント開口部（２２８、２３２）が機能性を最大にしながらより少ない空間を一般的に占めることが可能であることを理解するであろう。当然、他の例において、ベント開口部（２２８、２３２）は、単一のベント開口部（２２８、２３２）が単一のトレイチャンバ（２３４）のみと連通するように、配向されることが可能である。しかしながら、この構成の例において、本発明の例に示される数を上回る、追加のベント開口部（２２８、２３２）が本発明の例のベント開口部（２２８、２３２）と等しいベントを提供するために必要とされる可能性があることを理解するであろう。
【００４５】
図６に戻り、各トレイ受容部（２１２）の側壁部（２２２）及び中央壁部（２２４）を合わせて、各トレイチャンバ（２３４）の横方向の延伸を画定する。特に、各側壁部（２２２）は、各組織試料トレイ（１００）のストリップ側壁部（１１２）の形状と対応して一般的に鈍角（垂直の代替に）である。中央壁部（２２４）は、各側壁部（１１２）間に配置されることにより、各トレイ受容部（２１２）あたり２つの別個のトレイチャンバ（２３４）を画定する。互いの間にある一定の特異的な関係を有するものとして、側壁部（２２２）及び中央壁部（２２４）を本発明の例に示すが、これらの関係が組織試料トレイ（１００）の組織試料ストリップ（１１０）の大きさ及び形状によって一般的に規定されることを理解するであろう。したがって、他の例において、側壁部（２２２）と中央壁部（２２４）との間のこれらの関係が異なる大きさ及び形状に作られた組織試料ストリップ（１１０）を含むトレイ（１００）を収容するように所望に応じて変更されることが可能であることを理解するであろう。
【００４６】
上述のように、各トレイ受容部（２１２）は、隣接する遠位端部（２１４）と一体化している各遠位端部（２１４）によって接合される。加えて、本発明の例において各トレイ受容部（２１２）は、側壁部（２２２）によって隣接するトレイ受容部（２１２）にも連結される。特に、図６に最もよく見られるように、各側壁部（２２２）は、隣接するトレイ受容部（２１２）の別の側壁部（２２２）に隣接し、隣接する側壁部（２２２）に一体化して連結される。側壁部（２２２）間のこの一体化した連結は、組織試料トレイ（１００）の少なくとも一部が各トレイ受容部（２１２）内に配置されるときに、追加の剛性を容器（２００）へ与え、組織試料トレイ（１００）を支持する。本発明の例の側壁部（２２２）を一体化して連結するように示すが、他の例において、側壁部（２２２）が本明細書の教示を考慮して当業者に明らかであるようにいずれかの他の適切な方式で互いに連結されることが可能であることを理解するであろう。
【００４７】
さらに容器（２００）は、タブ（２４０）を備える。本発明の例のタブ（２４０）は、容器（２００）の把持を可能にし、容器（２００）のラベル付けを可能にするように構成される。特に、タブ（２４０）は、本体（２１０）の近位端部（２１８）から近位に延在する。本発明の例のタブ（２４０）が近位端部（２１８）の全長にわたり横方向に延在するように示されるが、他の例において、タブ（２４０）が近位端部（２１８）の一部のみに対して横方向に延在することが可能であることを理解するであろう。同様に、いくつかの例において、タブ（２４０）は、本体（２１０）の他の位置上に置かれることが可能である。たとえば、さらに他の例において、タブ（２４０）は、遠位端部（２１４）または側壁部（２２２）と関連することが可能である。当然、本明細書の教示を考慮して当業者に明らかであるように、タブ（２４０）のいずれかの他の適切な位置を使用することが可能である。
【００４８】
本発明の例のタブ（２４０）は、タブ（２４０）の上向きに面する表面の中心に配置されるラベル部（２４２）を含む。ラベル部（２４２）は、その中にラベルを受容するように構成される。より詳細に以下に記載されるように、生検取得及び試料解析処置の様々な時点で、容器（２００）にラベル付けすることが望ましい可能性がある。このようなラベル付けは、処置全体を通して組織試料の追跡を促進するために望ましい可能性がある。
【００４９】
本発明の例において、ラベル部（２４２）は、タブ（２４０）の上面より下にわずかなくぼみを作られる。その結果、本発明の例において、ラベルがラベル部（２４２）に接着すると、タブ（２４０）の上面と概ね同じ高さにあるように、ラベル部（２４２）がラベルを受容するように構成されることを理解するであろう。ラベル部（２４２）が本発明の例において一般的にくぼみを作られているが、他の例において、ラベル部（２４２）が異なって構成されることが可能であることを理解するであろう。たとえば、いくつかの例において、ラベルがラベル部（２４２）を適用するよりもむしろ直接ラベル部（２４２）上に印刷される、または書き込まれることができるように、ラベル部（２４２）は、塗面であることが可能である。
【００５０】
図８から１２に示されるのは、組織試料トレイ（１００）を受容する容器（２００）の例示的な使用である。特に、図８に見られるように、組織試料トレイ（１００）は、最初に容器（２００）の外側で開始する。生検処置において、トレイが生検デバイス（１０）から試料を受容し、組織試料ホルダアセンブリ（４０）の回転自在部材（４４）から取り外された時点に、組織試料トレイ（１００）のこの最初の位置が対応することができることを理解するであろう。したがって、本明細書に記載される処置を使用して、組織取得後の検体Ｘ線撮影のために組織試料トレイ（１００）を調製した後に、さらなる解析のために病理への組織試料トレイ（１００）の後の輸送を伴うことができることを理解するであろう。
【００５１】
組織試料トレイ（１００）を図８に示されるように容器（２００）に隣接して置くと、組織試料トレイ（１００）を図９に示される位置内の容器中に挿入することができる。組織試料トレイ（１００）を容器（２００）中に挿入するために、組織試料トレイ（１００）の各組織試料ストリップ（１１０）は、各トレイ受容部（２１２）の対応するトレイチャンバ（２３４）と整列される。つぎに組織試料トレイ（１００）を移動させ、各組織試料ストリップ（１１０）を、対応するトレイチャンバ（２３４）内に挿入する。
【００５２】
図１０に最もよく示されるように、組織試料トレイ（１００）の各組織試料ストリップ（１１０）を各トレイ受容部（２１２）の各トレイチャンバ（２３４）内に挿入すると、各組織試料ストリップ（１１０）をほぼ完全に各トレイチャンバ（２３４）内に配置する。しかしながら、各組織試料ストリップ（１１０）の各組織受容チャンバ（１２０）は、容器（２００）の外面とベント開口部（２１６、２２８、２３２）を介して連通したままである。特に、遠位端部（２１４）と関連するベント開口部（２１６）は、組織受容チャンバ（１２０）と遠位開口部（１２２）を介して連通する。同様に、上面（２２６）と関連するベント開口部（２２８）は、組織受容チャンバ（１２０）と直接連通し、底面（２３２）と関連するベント開口部（２３４）は、組織受容チャンバ（１２０）と開口部（１１６）を介して底面（１１４）中で連通する。
【００５３】
組織試料トレイ（１００）の各組織試料ストリップ（１１０）を各トレイ受容部（２１２）の対応するトレイチャンバ（２３４）中に挿入すると、組織試料トレイ（１００）に加えて容器（２００）は、検体Ｘ線撮影が望まれる場合、検体Ｘ線撮影を受けることができる。単なる例として、「Ｂｉｏｐｓｙ  Ｓａｍｐｌｅ  Ｃｏｎｔａｉｎｅｒ」と題する、２０１７年６月３０日に出願され、その開示が参照により本明細書に援用される、米国第１５／６３８，７４０号の教示のうちの少なくともいくつかに従い、適切な検体Ｘ線撮影処置を実施することができる。検体Ｘ線撮影が完了すると、または検体Ｘ線撮影を実施しない場合に、図１１に示されるように、組織試料トレイ（１００）に加えて容器（２００）をカップ（２５０）中に挿入することができる。カップ（２５０）を使用して、組織試料を、たとえば、病理研究室などへ輸送することができる。いくつかの例において、容器（２００）を固定流体（２５２）（たとえば、ホルマリン）中に直ちに浸漬させるように、固定流体（２５２）によってカップ（２５０）を事前に充填することができる。いくつかの他の例において、容器（２００）をカップ（２５０）中に最初に置いた後、固定流体（２５２）をカップ（２５０）に導入することができる。いずれかの事例において、固定流体（２５２）が容器（２００）の内面中にベント開口部（２１６、２２８、２３２）を介して直ちに通過することができることを理解するであろう。それにより、固定流体（２５２）は、容器（２００）中のトレイチャンバ（２３４）内に包含される組織試料に容易に到達して、これらの組織試料を浸漬させることができる。容器（２００）及び固定流体（２５２）がカップ（２５０）中にありながら、つぎに、操作者は、カップ蓋（２５４）をカップ（２５０）に固着させることにより、容器（２００）及び固定流体（２５２）をカップ（２５０）中でシールすることができる。容器（２００）及び固定流体（２５２）をカップ（２５０）中にシールした後に、つぎにさらに処理するために、カップ（２５０）を別の位置に輸送し、保管のために取っておく、またはその他の方法により取り扱うことができる。
【００５４】
図１２に最もよく示されるように、いくつかの例において、カップ（２５０）が複数の容器（２００）を受容することができることを理解するであろう。特に、本発明の例において、容器（２００）の横方向の幅は、カップ（２５０）の内径未満の所定の寸法にほぼ対応する。このため、容器（２００）の横方向の幅が１回に２つまでの容器（２００）をカップ（２５０）内に配置することができるように構成されることを理解するであろう。
【００５５】
いずれかの段階で、上述の処置中に、ラベルをタブ（２４０）のラベル部（２４２）に添着することができることを理解するであろう。たとえば、いくつかの例において、組織試料トレイ（１００）の容器（２００）中への挿入前に、ラベルをラベル部（２４２）上に付着させる、またはその他の方法により提供することができる。他の例において、組織試料トレイ（１００）の容器（２００）中への挿入後、ラベルをラベル部（２４２）上に付着させる、またはその他の方法により提供することができる。当然、さらに他の例において、上述の処置中のいずれかの他の適切な時点で、ラベルをラベル部（２４２）上に付着させる、またはその他の方法により提供することができる。
【００５６】
ＩＩＩ．組織試料トレイを支持するための例示的な代替の容器
図１３は、上述の容器（２００）と実質的に類似する例示的な代替の容器（３００）を示す。たとえば、容器（２００）と同様に、容器（３００）は、それぞれの組織受容チャンバ（１２０）中に組織試料を完全に包含する各組織受容チャンバ（１２０）の封入と同様に、構造上の支持を組織試料トレイ（１００）へ提供するように動作可能である。しかしながら、上述の容器（２００）と異なり、本発明の例の容器（３００）は、組織試料トレイ（１００）を摺動可能に受容することに加えて、ドロップイン方式で組織試料トレイ（１００）を受容するように一般的に構成される。この例の容器（３００）は、複数のトレイ受容部（３１２）を画定する本体（３１０）を含む。より詳細に以下に説明するように、容器（３００）は、その中で組織試料トレイ（１００）を摺動可能に受容し、組織試料トレイ（１００）の少なくとも一部を支持して、封入するように一般的に構成される。またより詳細に以下に説明するように、本発明の例の容器（３００）は、組織試料トレイ（１００）が上述の平らな構成において対応して支持されるように、一般的に剛性で平らな構成にある。
【００５７】
本発明の例の本体（３１０）は、３つの別々であるが一体化して連結されたトレイ受容部（３１２）を含む。一般にトレイ受容部（３１２）は、組織試料トレイ（１００）の一部を受容し、組織受容トレイ（１００）の一部を支持して、封入するように構成される。特に、またより詳細に以下に説明するように、各トレイ受容部（３１２）は、組織試料トレイ（１００）の１組の組織試料ストリップ（１１０）を受容するように構成される。各トレイ受容部（３１２）は、遠位端部（３１４）、近位端部（３１８）、１組の側壁部（３２２）、中央壁部（３２４）、上面（３２６）、及び底面（３３０）を備える。より詳細に以下に記載されるように、遠位端部（３１４）、近位端部（３１８）、側壁部（３２２）、中央壁部（３２４）、上面（３２６）、及び底面（３３０）は、すべて合わせて１組のトレイチャンバ（３３４）を画定する。
【００５８】
各トレイ受容部（３１２）の各遠位端部（３１４）は、遠位端部（３１４）が本体（３１０）にわたり横方向に延在する単一の遠位端部（３１４）を画定するように、対応して隣接する遠位端部（３１４）と一体化する。本発明の例の遠位端部（３１４）が一体化して連結されるように示されるが、他の例において、遠位端部（３１４）が特定の点で合わせて固着される別々の構成要素であることが可能であることを理解するであろう。それにもかかわらず、各遠位端部（３１４）は、複数のベント開口部（３１６）を含む。上述のベント開口部（２１６）と同様に、本発明の例のベント開口部（３１６）は、流体が各遠位端部（３１４）を通り、トレイチャンバ（３３４）に流入し、これらのトレイチャンバから流出することを可能にするように構成される。
【００５９】
側壁部（３２２）、中央壁部（３２４）、上面（３２６）、及び底面（３３０）のすべては、遠位端部（３１４）から近位端部（３１８）へ近位に延在する。一般的に近位端部（３１８）は、１組のトレイ開口部（３２０）を画定する。一般的に、トレイ開口部（３２０）は、トレイチャンバ（３３４）に対して開口する。したがって、各トレイ開口部（３２０）が組織試料トレイ（１００）の対応する組織試料ストリップ（１１０）を受容し、各組織試料ストリップ（１１０）の少なくとも一部をトレイチャンバ（３３４）内で受容することを可能にするように構成されることを理解するであろう。
【００６０】
遠位端部（３１４）と近位端部（３１８）との間で、各上面（３２６）及び底面（３３０）は、複数のベント開口部（３２８、３３２）を画定する。各ベント開口部（３２８、３３２）は、長手方向に細長い構成に一般的に設定される。しかしながら、他の例において、いずれかの他の適切な構成を使用することが可能であることを理解するであろう。たとえば、いくつかの例において、ベント開口部（３２８、３３２）は、遠位端部（３１４）と関連するベント開口部（３１６）（たとえば、複数の楕円形または円形開口部）の形態を取ることができる。当然、本明細書の教示を考慮して当業者に明らかであるように、いずれかの他の適切な形状を使用することができる。
【００６１】
本発明の例のベント開口部（３２８、３３２）は、容器（３００）の外面と、各トレイ受容部（３１２）の各トレイチャンバ（３３４）との間で連通するように各々が構成される。単一のベント開口部（３２８、３３２）が中央壁部（３２４）の存在にもかかわらずトレイチャンバ（３３４）の両方と連通するように構成されるように、各ベント開口部（３２８、３３２）は、中央壁部（３２４）に直接隣接する。
【００６２】
各トレイ受容部（３１２）の側壁部（３２２）及び中央壁部（３２４）は、各トレイチャンバ（３３４）の横方向の延伸を合わせて画定する。特に、各側壁部（３２２）は、各組織試料トレイ（１００）のストリップ側壁部（１１２）の形状と対応して一般的に鈍角（垂直の代替に）である。中央壁部（３２４）は、各側壁部（１１２）間に配置されることにより、各トレイ受容部（３１２）あたり２つの別個のトレイチャンバ（３３４）を画定する。互いの間にある一定の特異的な関係を有するものとして、側壁部（３２２）及び中央壁部（３２４）を本発明の例に示すが、これらの関係が組織試料トレイ（１００）の組織試料ストリップ（１１０）の大きさ及び形状によって一般的に規定されることを理解するであろう。したがって、他の例において、側壁部（３２２）と中央壁部（３２４）との間のこれらの関係が異なる大きさ及び形状に作られた組織試料ストリップ（１１０）を含むトレイ（１００）を収容するように所望に応じて変更されることが可能であることを理解するであろう。
【００６３】
上述のように、各トレイ受容部（３１２）は、隣接する遠位端部（３１４）と一体化している各遠位端部（３１４）によって接合される。加えて、本発明の例において各トレイ受容部（３１２）は、側壁部（３２２）によって隣接するトレイ受容部（３１２）にも連結される。各側壁部（３２２）は、隣接するトレイ受容部（３１２）の別の側壁部（３２２）に隣接し、隣接する側壁部（３２２）に一体化して連結される。側壁部（３２２）間のこの一体化した連結は、組織試料トレイ（１００）の少なくとも一部が各トレイ受容部（３１２）内に配置されるときに、追加の剛性を容器（３００）へ与え、組織試料トレイ（１００）を支持する。
【００６４】
容器（２００）と異なり、本発明の例の容器（３００）は、上述のタブ（２４０）に類似するタブを含むものとしては示されていない。しかしながら、示されないが、いくつかの例において、容器（３００）が上述のタブ（２４０）に類似するタブを含むことが可能であることを理解するであろう。これらのような例において、このようなタブは、容器（３００）の把持を可能にするように、また容器（３００）のラベル付けを可能にするように構成されることが可能である。加えて、このようなタブは、上述のラベル部（２４２）に類似するラベル部を同様に含むことができる。このようなラベル部は、くぼみを作られることが可能であり、そのくぼみの中にラベルを受容するように構成される。
【００６５】
上述の容器（２００）と異なり、本発明の例の容器（３００）は、各トレイ受容部（３１２）の各上面（３２６）の少なくとも一部が本体（３１０）の残りから取り外し可能であるように構成される。特に、図１３に見られるように、各上面（３２６）は、すべての上面（３２６）を本体（３１０）から離して枢動させ、本体（３１０）を開口することが可能であるように、互いと相互に連結される。この特徴は、枢動時に上面（３２６）によって画定される開口領域を通り摺動することによって、または降下することによって、組織試料トレイ（１００）を容器（３００）中に挿入することが可能であるような追加の機能性を提供するように構成される。
【００６６】
示されないが、本発明の例において、リビングヒンジによって各上面（３２６）を本体（３１０）へ固着させ、このリビングヒンジが各上面の近位端部を各トレイ受容部（３１２）の近位端部（３１８）に連結させることを理解するであろう。リビングヒンジ特徴を本発明の例に関して記載するが、他の例において、いずれかの他の適切なヒンジ特徴を使用することができることを理解するであろう。さらに他の例において、リビングヒンジを完全に省くことができ、各上面（３２６）は、本体（３１０）から完全に取り外すことができる。加えて、本発明の例が取り外し可能な上面（３２６）のみを含むように示されるが、他の例において、側壁部（３２２）及び中央壁部（３２４）の部分も上面（３２６）によって取り外し可能であることができることを理解するであろう。
【００６７】
図１４は、上述の容器（３００）と実質的に類似する例示的な代替の容器（４００）を示す。たとえば、容器（３００）と同様に、容器（４００）は、それぞれの組織受容チャンバ（１２０）中に組織試料を完全に包含する各組織受容チャンバ（１２０）の封入と同様に、構造上の支持を組織試料トレイ（１００）へ提供するように動作可能である。この例の容器（４００）は、複数のトレイ受容部（４１２）を画定する本体（４１０）を含む。より詳細に以下に説明するように、容器（４００）は、その中で組織試料トレイ（１００）を摺動可能に受容し、組織試料トレイ（１００）の少なくとも一部を支持して、封入するように一般的に構成される。
【００６８】
本発明の例の本体（４１０）は、３つの別々であるが一体化して連結されたトレイ受容部（４１２）を含む。一般にトレイ受容部（４１２）は、組織試料トレイ（１００）の一部を受容し、組織受容トレイ（１００）の一部を支持して、封入するように構成される。特に、またより詳細に以下に説明するように、各トレイ受容部（４１２）は、組織試料トレイ（１００）の１組の組織試料ストリップ（１１０）を受容するように構成される。各トレイ受容部（４１２）は、遠位端部（４１４）、近位端部（４１８）、１組の側壁部（４２２）、中央壁部（４２４）、上面（４２６）、及び底面（４３０）を備える。より詳細に以下に記載されるように、遠位端部（４１４）、近位端部（４１８）、側壁部（４２２）、中央壁部（４２４）、上面（４２６）、及び底面（４３０）は、すべて合わせて１組のトレイチャンバ（４３４）を画定する。
【００６９】
各トレイ受容部（４１２）の各遠位端部（４１４）は、遠位端部（４１４）が本体（４１０）にわたり横方向に延在する単一の遠位端部（４１４）を画定するように、対応して隣接する遠位端部（４１４）と一体化する。本発明の例の遠位端部（４１４）が一体化して連結されるように示されるが、他の例において、遠位端部（４１４）が特定の点で合わせて固着される別々の構成要素であることが可能であることを理解するであろう。それにもかかわらず、各遠位端部（４１４）は、複数のベント開口部（４１６）を含む。上述のベント開口部（３１６）と同様に、本発明の例のベント開口部（４１６）は、流体が各遠位端部（４１４）を通り、トレイチャンバ（４３４）に流入し、これらのトレイチャンバから流出することを可能にするように構成される。
【００７０】
側壁部（４２２）、中央壁部（４２４）、上面（４２６）、及び底面（４３０）のすべては、遠位端部（４１４）から近位端部（４１８）へ近位に延在する。一般的に近位端部（４１８）は、１組のトレイ開口部（４２０）を画定する。一般的に、トレイ開口部（４２０）は、トレイチャンバ（４３４）に対して開口する。したがって、各トレイ開口部（４２０）が組織試料トレイ（１００）の対応する組織試料ストリップ（１１０）を受容し、各組織試料ストリップ（１１０）の少なくとも一部をトレイチャンバ（４３４）内で受容することを可能にするように構成されることを理解するであろう。
【００７１】
遠位端部（４１４）と近位端部（４１８）との間で、各上面（４２６）及び底面（４３０）は、複数のベント開口部（４２８、４３２）を画定する。各ベント開口部（４２８、４３２）は、長手方向に細長い構成に一般的に設定される。しかしながら、他の例において、いずれかの他の適切な構成を使用することが可能であることを理解するであろう。たとえば、いくつかの例において、ベント開口部（４２８、４３２）は、遠位端部（４１４）と関連するベント開口部（４１６）（たとえば、複数の楕円形または円形開口部）の形態を取ることができる。当然、本明細書の教示を考慮して当業者に明らかであるように、いずれかの他の適切な形状を使用することができる。
【００７２】
本発明の例のベント開口部（４２８、４３２）は、容器（４００）の外面と、各トレイ受容部（４１２）の各トレイチャンバ（４３４）との間で連通するように各々が構成される。単一のベント開口部（４２８、４３２）が中央壁部（４２４）の存在にもかかわらずトレイチャンバ（４３４）の両方と連通するように構成されるように、各ベント開口部（４２８、４３２）は、中央壁部（４２４）に直接隣接する。
【００７３】
各トレイ受容部（４１２）の側壁部（４２２）及び中央壁部（４２４）を合わせて、各トレイチャンバ（４３４）の横方向の延伸を画定する。特に、各側壁部（４２２）は、各組織試料トレイ（１００）のストリップ側壁部（１１２）の形状と対応して一般的に鈍角（垂直の代替に）である。中央壁部（４２４）は、各側壁部（１１２）間に配置されることにより、各トレイ受容部（４１２）あたり２つの別個のトレイチャンバ（４３４）を画定する。互いの間にある一定の特異的な関係を有するものとして、側壁部（４２２）及び中央壁部（４２４）を本発明の例に示すが、これらの関係が組織試料トレイ（１００）の組織試料ストリップ（１１０）の大きさ及び形状によって一般的に規定されることを理解するであろう。したがって、他の例において、側壁部（４２２）と中央壁部（４２４）との間のこれらの関係が異なる大きさ及び形状に作られた組織試料ストリップ（１１０）を含むトレイ（１００）を収容ように所望に応じて変更されることが可能であることを理解するであろう。
【００７４】
上述のように、各トレイ受容部（４１２）は、隣接する遠位端部（４１４）と一体化している各遠位端部（４１４）によって接合される。加えて、本発明の例において各トレイ受容部（４１２）は、側壁部（４２２）によって隣接するトレイ受容部（４１２）にも連結される。各側壁部（４２２）は、隣接するトレイ受容部（４１２）の別の側壁部（４２２）に隣接し、隣接する側壁部（４２２）に一体化して連結される。側壁部（４２２）間のこの一体化した連結は、組織試料トレイ（１００）の少なくとも一部が各トレイ受容部（４１２）内に配置されるときに、追加の剛性を容器（４００）へ与え、組織試料トレイ（１００）を支持する。
【００７５】
容器（２００）と異なり、本発明の例の容器（４００）は、上述のタブ（２４０）に類似するタブを含むように示されない。しかしながら、示されないが、いくつかの例において、容器（４００）が上述のタブ（２４０）に類似するタブを含むことが可能であることを理解するであろう。これらのような例において、このようなタブは、容器（４００）の把持を可能にするように、また容器（４００）のラベル付けを可能にするように構成されることが可能である。加えて、このようなタブは、上述のラベル部（２４２）に類似するラベル部を同様に含むことができる。このようなラベル部は、くぼみを作られることが可能であり、そのくぼみの中にラベルを受容するように構成される。
【００７６】
上述の容器（２００）と異なるが、容器（３００）に類似する、本発明の例の容器（４００）は、各トレイ受容部（４１２）の各上面（４２６）の少なくとも一部が本体（４１０）の残りから取り外し可能であるように構成される。特に、図１４に見られるように、各上面（４２６）は、本体（４１０）から離れて枢動し、本体（４１０）を開口するように構成される。しかしながら、上述の容器（３００）の上面（３２６）と異なり、本発明の例の上面（４２６）は、相互に連結されない。代替に、各上面（４２６）は、他の上面（４２６）に関して独立して枢動可能である。したがって、各トレイ受容部（４１２）は、他のトレイ受容部（４１２）に関して独立して開口されるように構成される。この特徴は、上面（４２６）が枢動する時に上面（４２６）によって画定される開口領域を通り摺動することによって、または降下することによって、組織試料トレイ（１００）を容器（４００）中に挿入することが可能であるような追加の機能性を提供するように構成される。
【００７７】
示されないが、本発明の例において、リビングヒンジによって各上面（４２６）を本体（４１０）へ固着させ、このリビングヒンジが各上面の近位端部を各トレイ受容部（４１２）の近位端部（４１８）に連結させることを理解するであろう。リビングヒンジ特徴を本発明の例に関して記載するが、他の例において、いずれかの他の適切なヒンジ特徴を使用することができることを理解するであろう。さらに他の例において、リビングヒンジを完全に省くことができ、各上面（４２６）は、本体（４１０）から完全に取り外し可能であることができる。加えて、本発明の例が取り外し可能な上面（４２６）のみを含むように示されるが、他の例において、側壁部（４２２）及び中央壁部（４２４）の部分も上面（４２６）によって取り外し可能であることができることを理解するであろう。
【００７８】
図１５は、上述の容器（３００、４００）と実質的に類似する例示的な代替の容器（５００）を示す。たとえば、容器（３００、４００）と同様に、容器（５００）は、それぞれの組織受容チャンバ（１２０）中に組織試料を完全に包含する各組織受容チャンバ（１２０）の封入と同様に、構造上の支持を組織試料トレイ（１００）へ提供するように動作可能である。この例の容器（５００）は、複数のトレイ受容部（５１２）を画定する本体（５１０）を含む。より詳細に以下に記載されるように、容器（５００）は、その中に組織試料トレイ（１００）を摺動可能に受容し、組織試料トレイ（１００）の少なくとも一部を支持して、封入するように一般的に構成される。
【００７９】
本発明の例の本体（５１０）は、３つの別々であるが一体化して連結されたトレイ受容部（５１２）を含む。一般にトレイ受容部（５１２）は、組織試料トレイ（１００）の一部を受容し、組織受容トレイ（１００）の一部を支持して、封入するように構成される。特に、またより詳細に以下に記載されるように、各トレイ受容部（５１２）は、組織試料トレイ（１００）の１組の組織試料ストリップ（１１０）を受容するように構成される。各トレイ受容部（５１２）は、遠位端部（５１４）、近位端部（５１８）、１組の側壁部（５２２）、中央壁部（５２４）、上面（５２６）、及び底面（５３０）を備える。より詳細に以下に記載されるように、遠位端部（５１４）、近位端部（５１８）、側壁部（５２２）、中央壁部（５２４）、上面（５２６）、及び底面（５３０）は、すべて合わせて１組のトレイチャンバ（５３４）を画定する。
【００８０】
各トレイ受容部（５１２）の各遠位端部（５１４）は、遠位端部（５１４）が本体（５１０）にわたり横方向に延在する単一の遠位端部（５１４）を画定するように、対応して隣接する遠位端部（５１４）と一体化する。一般的に本発明の例の遠位端部（５１４）が一体化して連結されるが、他の例において、遠位端部（５１４）が特定の点で合わせて固着される別々の構成要素であることが可能であることを理解するであろう。それにもかかわらず、各遠位端部（５１４）は、複数のベント開口部（５１６）を含む。上述のベント開口部（３１６）と同様に、本発明の例のベント開口部（５１６）は、流体が各遠位端部（５１４）を通り、トレイチャンバ（５３４）に流入し、これらのトレイチャンバから流出することを可能にするように構成される。
【００８１】
側壁部（５２２）、中央壁部（５２４）、上面（５２６）、及び底面（５３０）のすべては、遠位端部（５１４）から近位端部（５１８）へ近位に延在する。一般的に近位端部（５１８）は、１組のトレイ開口部（５２０）を画定する。一般的に、トレイ開口部（５２０）は、トレイチャンバ（５３４）に対して開口する。したがって、各トレイ開口部（５２０）が組織試料トレイ（１００）の対応する組織試料ストリップ（１１０）を受容し、各組織試料ストリップ（１１０）の少なくとも一部をトレイチャンバ（５３４）内で受容することを可能にするように構成されることを理解するであろう。
【００８２】
遠位端部（５１４）と近位端部（５１８）との間で、各上面（５２６）及び底面（５３０）は、複数のベント開口部（５２８、５３２）を画定する。各ベント開口部（５２８、５３２）は、長手方向に細長い構成に一般的に設定される。しかしながら、他の例において、いずれかの他の適切な構成を使用することが可能であることを理解するであろう。たとえば、いくつかの例において、ベント開口部（５２８、５３２）は、遠位端部（５１４）と関連するベント開口部（５１６）（たとえば、複数の楕円形または円形開口部）の形態を取ることができる。当然、本明細書の教示を考慮して当業者に明らかであるように、いずれかの他の適切な形状を使用することができる。
【００８３】
本発明の例のベント開口部（５２８、５３２）は、容器（５００）の外面と、各トレイ受容部（５１２）の各トレイチャンバ（５３４）との間で連通するように各々が構成される。単一のベント開口部（５２８、５３２）が中央壁部（５２４）の存在にもかかわらずトレイチャンバ（５３４）の両方と連通するように構成されるように、各ベント開口部（５２８、５３２）は、中央壁部（５２４）に直接隣接する。
【００８４】
各トレイ受容部（５１２）の側壁部（５２２）及び中央壁部（５２４）を合わせて、各トレイチャンバ（５３４）の横方向の延伸を画定する。特に、各側壁部（５２２）は、各組織試料トレイ（１００）のストリップ側壁部（１１２）の形状と対応して一般的に鈍角（垂直の代替に）である。中央壁部（５２４）は、各側壁部（１１２）間に配置されることにより、各トレイ受容部（５１２）あたり２つの別個のトレイチャンバ（５３４）を画定する。互いの間にある一定の特異的な関係を有するものとして、側壁部（５２２）及び中央壁部（５２４）を本発明の例に示すが、これらの関係が組織試料トレイ（１００）の組織試料ストリップ（１１０）の大きさ及び形状によって一般的に規定されることを理解するであろう。したがって、他の例において、側壁部（５２２）と中央壁部（５２４）との間のこれらの関係が異なる大きさ及び形状に作られた組織試料ストリップ（１１０）を含むトレイ（１００）を収容するように所望に応じて変更されることが可能であることを理解するであろう。
【００８５】
上述のように、各トレイ受容部（５１２）は、隣接する遠位端部（５１４）と一体化している各遠位端部（５１４）によって接合される。加えて、本発明の例において各トレイ受容部（５１２）は、側壁部（５２２）によって隣接するトレイ受容部（５１２）にも連結される。各側壁部（５２２）は、隣接するトレイ受容部（５１２）の別の側壁部（５２２）に隣接し、隣接する側壁部（５２２）に一体化して連結される。側壁部（５２２）間のこの一体化した連結は、組織試料トレイ（１００）の少なくとも一部が各トレイ受容部（５１２）内に配置されるときに、追加の剛性を容器（５００）へ与え、組織試料トレイ（１００）を支持する。
【００８６】
容器（２００）と異なり、本発明の例の容器（５００）は、上述のタブ（２４０）に類似するタブを含むように示されない。しかしながら、示されないが、いくつかの例において、容器（５００）が上述のタブ（２４０）に類似するタブを含むことが可能であることを理解するであろう。これらのような例において、このようなタブは、容器（５００）の把持を可能にするように、また容器（５００）のラベル付けを可能にするように構成されることが可能である。加えて、このようなタブは、上述のラベル部（２４２）に類似するラベル部を同様に含むことができる。このようなラベル部は、くぼみを作られることが可能であり、そのくぼみの中にラベルを受容するように構成される。
【００８７】
上述の容器（２００）と異なるが、容器（３００、４００）に類似する、本発明の例の容器（４００）は、各トレイ受容部（５１２）の各上面（５２６）の少なくとも一部が本体（４１０）の残りから取り外し可能であるように構成される。特に、図１５に見られるように、各上面（５２６）は、本体（５１０）から離れて枢動し、本体（５１０）を開口させるように構成される。上述の容器（３００）の上面（３２６）と同様に、本発明の例の上面（５２６）は、上面（５２６）が別個のユニットとして枢動可能であるようにそれぞれ相互に連結される。したがって、各トレイ受容部（５１２）は、他のトレイ受容部（５１２）に関して同時に開口するように構成される。この特徴は、上面（５２６）が枢動するときに、上面（５２６）によって画定される開口領域を通り摺動することによって、または降下することによって、組織試料トレイ（１００）を容器（５００）中に挿入することが可能であるような追加の機能性を提供するように構成される。
【００８８】
示されないが、本発明の例において、リビングヒンジによって、本体（５１０）に各上面（５２６）を固着し、このリビングヒンジが各上面（５２６）の側部を各トレイ受容部（５１２）の最も側方の側壁部（５２２）に連結することを理解するであろう。したがって、上述の容器（３００、４００）と異なり、本発明の例の容器（５００）が異なる位置に配置されるヒンジ特徴を含むことを理解するであろう。リビングヒンジ特徴を本発明の例に関して記載するが、他の例において、いずれかの他の適切なヒンジ特徴を使用することができることを理解するであろう。さらに他の例において、リビングヒンジを完全に省くことができ、各上面（５２６）は、本体（５１０）から完全に取り外し可能であることができる。加えて、本発明の例が取り外し可能な上面（５２６）のみを含むように示されるが、他の例において、側壁部（５２２）及び中央壁部（５２４）の部分も上面（５２６）によって取り外し可能であることができることを理解するであろう。
【００８９】
上述の容器（２００、３００、４００）と異なり、本発明の例の容器（５００）は、最も外側のトレイ受容部（５１２）の最も外側の側壁部（５２２）から横方向に延在するラベル付け部（５６０）をさらに備える。本発明の例のラベル付け部（５６０）は、１組の腕部（５６２）及びラベル部材（５６４）を備える。腕部（５６２）は、側壁部（５２２）から外方向に延在し、側壁部（５２２）とラベル部材（５６４）との間に間隙を提供する。本発明の例のラベル付け部（５６０）が腕部（５６２）を含むが、いくつかの例において、腕部（５６２）を完全に省くことができることを理解するであろう。これらのような例において、ラベル部材（５６４）を側壁部（５２２）に直接固着する。
【００９０】
ラベル部材（５６４）は、腕部（５６２）から外方向に延在する。示されないが、本発明の例において、腕部（５６２）が各腕部（５６２）間に延在するダボを含むことを理解するであろう。ダボにラベル部材（５６４）を回転自在に固着させ、ダボは、ラベル部材（５６４）が腕部（５６２）に関して回転するように構成されるように、各腕部（５６２）間に延在する。一般的にラベル部材（５６４）は、ラベル部材（５６４）が折り畳まれる、捻られる、曲げられる、またはその他の方法により様々な位置の間で移行するように構成されるような可撓性である。その結果、ラベル部材（５６４）が腕部周囲で回転することができるようなフラッグに類似して、容器（５００）周囲で折り畳まれ、曲げられるように構成されることを理解するであろう。この特徴は、容器（５００）を限られた空間内に配置する（たとえば、上述のカップ（２５０）内に配置するときなどの）様々な状況に対して、ラベル部材（５６４）の圧縮した位置への移行を可能にする。
【００９１】
本発明の例のラベル部材（５６４）は、上部または下部の表面上にラベルを受容するように構成される。たとえば、ラベル部材（５６４）のいくつかの用途において、操作者は、生検及び組織解析処置中の様々な段階で、自己接着ラベルをラベル部材（５６４）上に配置することができる。本発明の例のラベル部材（５６４）が別々のラベルを受容することに関して説明されているが、他の例において、ラベルがラベル部材（５６４）上に直接書き込まれる、または印刷されることができることを理解するであろう。
【００９２】
ＩＶ．組織試料トレイを支持する例示的な折り畳み可能な容器
上記のように、いくつかの状況において、組織試料トレイ（１００）を取り扱う方法に基づき組織試料ストリップ（１１０）の位置決め及び配置を維持するために、構造上の支持を組織試料トレイ（１００）へ提供することが望ましい可能性がある。しかしながら、この構造上の支持が容器（２００）に関して上述のように必ずしも性質上等方性である必要がないことを理解するであろう。単なる例として、単一平面沿いの組織試料トレイ（１００）へ、または組織試料トレイ（１００）の特定の部分に関して、上述の追加の構造上の支持を与えることが望ましい可能性がある。しかしながら、これらのような例において、組織試料を固定流体（たとえば、ホルマリン）中に含有するときに、各組織受容チャンバ（１２０）の封入を提供し、それぞれの組織受容チャンバ（１２０）内に組織試料を完全に包含することが依然として望ましい可能性があることを理解するであろう。
【００９３】
図１６及び１７は、例示的な容器（６００）を示し、この容器は、それぞれの組織受容チャンバ（１２０）内で組織試料を完全に包含する各組織受容チャンバ（１２０）の封入と同様に、構造上の支持を組織試料トレイ（１００）へ提供するように動作可能である。しかしながら、上述の容器（２００）と異なり、本発明の例の容器（６００）は、より詳細に以下に記載されるように、様々な流体含有デバイス内に容器（６００）を収容するように、一般的に少なくとも１本の軸にまたがり曲げられることが可能である。
【００９４】
上述の容器（２００）と同様に、この例の容器（６００）は、複数のトレイ受容部（６１２）を画定する本体（６１０）を含む。より詳細に以下に記載されるように、容器（６００）は、その中に組織試料トレイ（１００）を摺動可能に受容し、組織試料トレイ（１００）の少なくとも一部を支持して、封入するように一般的に構成される。より詳細に以下に記載されるように、本発明の例の容器（６００）は、一般的に剛性であり、さらに各トレイ受容部（６１２）は、容器（６００）が平らな構成から弓形構成へ移行するように構成されるように、隣接するトレイ受容部（６１２）に関して枢動可能である。
【００９５】
本発明の例の本体（６１０）は、３つの別々であるが一体化して連結されたトレイ受容部（６１２）を含む。一般にトレイ受容部（６１２）は、組織試料トレイ（１００）の一部を受容し、組織受容トレイ（１００）の一部を支持して、封入するように構成される。特に、またより詳細に以下に記載されるように、各トレイ受容部（６１２）は、組織試料トレイ（１００）の１組の組織試料ストリップ（１１０）を受容するように構成される。各トレイ受容部（６１２）は、遠位端部（６１４）、近位端部（６１８）、１組の側壁部（６２２）、中央壁部（６２４）、上面（６２６）、及び底面（６３０）を備える。より詳細に以下に記載されるように、遠位端部（６１４）、近位端部（６１８）、側壁部（６２２）、中央壁部（６２４）、上面（６２６）、及び底面（６３０）は、すべて合わせて１組のトレイチャンバ（６３４）を画定する。
【００９６】
各トレイ受容部（６１２）の各遠位端部（６１４）は、遠位端部（６１４）が本体（６１０）にわたり横方向に延在するように相互に連結されるように、対応して隣接する遠位端部（６１４）と一体化し、さらにこれから分離する。特に、各遠位端部（６１４）は、別の隣接する遠位端部（６１４）の一部のみと一般的に相互に連結され、各遠位端部（６１４）間に間隙（６７０）を画定する。より詳細に以下に記載されるように、この構成は、遠位端部（６１４）が互いに関して撓むことを一般的に可能にすることにより、各トレイ受容部（６１２）の平らな構成から弓形構成への移行を可能にする。
【００９７】
各遠位端部（６１４）は、複数のベント開口部（６１６）を含む。上述のベント開口部（２１６）と同様に、本発明の例のベント開口部（６１６）は、流体が各遠位端部（６１４）を通り、トレイチャンバ（６３４）に流入し、これらのトレイチャンバから流出することを可能にするように構成される。より詳細に以下に記載されるように、この構成は、トレイチャンバ（６３４）を固定流体（たとえば、ホルマリン）によって充填することを可能にすることにより、組織試料を固定流体中に浸す。
【００９８】
側壁部（６２２）、中央壁部（６２４）、上面（６２６）、及び底面（６３０）のすべては、遠位端部（６１４）から近位端部（６１８）へ近位に延在する。一般的に近位端部（６１８）は、１組のトレイ開口部（６２０）を画定する。一般的に、トレイ開口部（６２０）は、トレイチャンバ（６３４）に対して開口する。したがって、各トレイ開口部（６２０）が組織試料トレイ（１００）の対応する組織試料ストリップ（１１０）を受容し、各組織試料ストリップ（１１０）の少なくとも一部をトレイチャンバ（６３４）内で受容することを可能にするように構成されることを理解するであろう。
【００９９】
遠位端部（６１４）と近位端部（６１８）との間で、各上面（６２６）及び底面（６３０）は、複数のベント開口部（６２８、６３２）を画定する。各ベント開口部（６２８、６３２）は、長手方向に細長い構成に一般的に設定される。しかしながら、他の例において、いずれかの他の適切な構成を使用することが可能であることを理解するであろう。たとえば、いくつかの例において、ベント開口部（６２８、６３２）は、遠位端部（６１４）と関連するベント開口部（６１６）（たとえば、複数の楕円形または円形開口部）の形態を取ることができる。当然、本明細書の教示を考慮して当業者に明らかであるように、いずれかの他の適切な形状を使用することができる。
【０１００】
本発明の例のベント開口部（６２８、６３２）は、容器（６００）の外面と、各トレイ受容部（６１２）の各トレイチャンバ（６３４）との間で連通するように各々が構成される。単一のベント開口部（６２８、６３２）が中央壁部（６２４）の存在にもかかわらずトレイチャンバ（６３４）の両方と連通するように構成されるように、各ベント開口部（６２８、６３２）は、中央壁部（６２４）に直接隣接する。
【０１０１】
各トレイ受容部（６１２）の側壁部（６２２）及び中央壁部（６２４）を合わせて、各トレイチャンバ（６３４）の横方向の延伸を画定する。特に、各側壁部（６２２）は、各組織試料トレイ（１００）のストリップ側壁部（１１２）の形状と対応して一般的に鈍角（垂直の代替に）である。中央壁部（６２４）は、各側壁部（１１２）間に配置されることにより、各トレイ受容部（６１２）あたり２つの別個のトレイチャンバ（６３４）を画定する。互いの間にある一定の特異的な関係を有するものとして、側壁部（６２２）及び中央壁部（６２４）を本発明の例に示すが、これらの関係が組織試料トレイ（１００）の組織試料ストリップ（１１０）の大きさ及び形状によって一般的に規定されることを理解するであろう。したがって、他の例において、側壁部（６２２）と中央壁部（６２４）との間のこれらの関係が異なる大きさ及び形状に作られた組織試料ストリップ（１１０）を含むトレイ（１００）を収容するように所望に応じて変更されることが可能であることを理解するであろう。
【０１０２】
上述のように、各トレイ受容部（６１２）は、隣接する遠位端部（６１４）の少なくとも一部と一体化している各遠位端部（６１４）の少なくとも一部によって接合される。加えて、本発明の例において各トレイ受容部（６１２）は、側壁部（６２２）によって隣接するトレイ受容部（６１２）にも連結される。各側壁部（６２２）は、隣接するトレイ受容部（６１２）の別の側壁部（６２２）に隣接し、隣接する側壁部（６２２）に一体化して連結される。側壁部（６２２）間のこの一体化した連結は、組織試料トレイ（１００）の少なくとも一部が各トレイ受容部（６１２）内に配置されるときに、追加の剛性を容器（６００）へ与え、組織試料トレイ（１００）を支持する。しかしながら、上述の一体化した連結の側壁部（２２２、３２２、４２２、５２２）と異なり、本発明の例の側壁部（６２２）の一体化した連結は、各トレイ受容部（６１２）間にリビングヒンジを提供するように構成される。特に、一体化した連結は、側壁部（６２２）を互いに固着するのに十分大きいように、またある程度の可撓性を与えるのに十分小さいように、一般的に構成される。その結果、側壁部（６２２）間の一体化した連結が互いに関してトレイ受容部（６１２）の撓みを可能にし、容器（６００）の平らな構成と弓形構成との間の移行を可能にするように構成されることを理解するであろう。
【０１０３】
リビングヒンジを提供する一体化した連結を形成するように側壁部（６２２）を本明細書に記載するが、他の例において、このような一体化した連結によって提供される機能性をいずれかの他の適切な手段によって提供することができることを理解するであろう。たとえば、いくつかの例において、側壁部（６２２）は、ドアヒンジ、またはいずれかの他の回転自在なファスナーに類似することが可能である別々のヒンジ部材によって互いに連結されることが可能である。当然、本明細書の教示を考慮して当業者に明らかであるように、トレイ受容部（６１２）が互いに関して撓むことを可能にするように構成される、いずれかの他の構造を使用することができる。
【０１０４】
上述の容器（２００）と異なり、本発明の例の容器（６００）は、上述のタブ（２４０）に類似するタブを含むように示されない。しかしながら、示されないが、いくつかの例において、容器（６００）が上述のタブ（２４０）に類似するタブを含むことが可能であることを理解するであろう。これらのような例において、このようなタブは、容器（６００）の把持を可能にするように、また容器（６００）のラベル付けを可能にするように構成されることが可能である。加えて、このようなタブは、上述のラベル部（２４２）に類似するラベル部を同様に含むことができる。このようなラベル部は、くぼみを作られることが可能であり、そのくぼみの中にラベルを受容するように構成される。
【０１０５】
図１８から２１は、容器（６００）の例示的な用途を示す。特に、図１８に見られるように、組織試料トレイ（１００）は、最初に容器（６００）の外側で開始する。生検処置において、トレイが生検デバイス（１０）から試料を受容し、組織試料ホルダアセンブリ（４０）の回転自在部材（４４）から取り外された時点に、組織試料トレイ（１００）のこの最初の位置が対応することができることを理解するであろう。したがって、本明細書に記載される処置を使用して、組織取得後の検体Ｘ線撮影のために組織試料トレイ（１００）を調製した後に、さらなる解析のために病理への組織試料トレイ（１００）の後の輸送を伴うことができることを理解するであろう。
【０１０６】
組織試料トレイ（１００）を図１８に示されるように容器（６００）に隣接して置くと、組織試料トレイ（１００）を容器（６００）内の容器中に挿入することができる。組織試料トレイ（１００）を容器（６００）中に挿入するために、組織試料トレイ（１００）の各組織試料ストリップ（１１０）は、各トレイ受容部（６１２）の対応するトレイチャンバ（６３４）と整列される。つぎに組織試料トレイ（１００）を移動させ、各組織試料ストリップ（１１０）を対応するトレイチャンバ（６３４）内に挿入する。
【０１０７】
組織試料トレイ（１００）の各組織試料ストリップ（１１０）を各トレイ受容部（６１２）の各トレイチャンバ（６３４）内に挿入すると、各組織試料ストリップ（１１０）をほぼ完全に各トレイチャンバ（６３４）内に配置する。しかしながら、各組織試料ストリップ（１１０）の各組織受容チャンバ（１２０）は、容器（６００）の外面とベント開口部（６１６、６２８、６３２）を介して連通したままである。特に、遠位端部（６１４）と関連するベント開口部（６１６）は、組織受容チャンバ（１２０）と遠位開口部（１２２）を介して連通する。同様に、上面（６２６）と関連するベント開口部（６２８）は、組織受容チャンバ（１２０）と直接連通し、底面（６３２）と関連するベント開口部（６３４）は、組織受容チャンバ（１２０）と開口部（１１６）を介して底面（１１４）中で連通する。
【０１０８】
各トレイ受容部（６１２）の対応するトレイチャンバ（６３４）中に組織試料トレイ（１００）の各組織試料ストリップ（１１０）を挿入しながら、つぎに容器（６００）を図１９に示されるように弓形構成に移行させることができる。操作者は、一般的に、容器（６００）を曲げ、各側壁部（６２２）の一体化した連結の周囲で各トレイ受容部（６１２）を枢動させることによって、容器（６００）を弓形構成に移行させることができる。代替に、任意選択で、容器（６００）が図１８に示される平らな構成のままにされることができることを理解するであろう。平らな構成のままにされるときに、容器（６００）は、容器（２００）に関して上述したものと実質的に類似した処置を使用して取り扱われることができる。
【０１０９】
容器（６００）を弓形構成に移行させる前に、またはこの弓形構成に移行させた後に、操作者は、このような検体Ｘ線撮影を望む場合に、組織試料トレイ（１００）に加えて容器（６００）に検体Ｘ線撮影を受けさせることができる。単なる例として、「Ｂｉｏｐｓｙ  Ｓａｍｐｌｅ  Ｃｏｎｔａｉｎｅｒ」と題する、２０１７年６月３０日に出願され、その開示が参照により本明細書に援用される、米国第１５／６３８，７４０号の教示のうちの少なくともいくつかに従い、適切な検体Ｘ線撮影処置を実施することができる。
【０１１０】
検体Ｘ線撮影が完了すると、または検体Ｘ線撮影を実施しない場合に、図２０に示されるように、組織試料トレイ（１００）に加えて容器（３００）をカップ（２５０）中に挿入することができる。容器（２００）に関して上記に同様に説明したように、カップ（２５０）を使用して、組織試料を、たとえば、病理研究室などへ輸送することができる。いくつかの例において、容器（６００）を固定流体（２５２）（たとえば、ホルマリン）中に直ちに浸漬させるように、固定流体（２５２）によってカップ（２５０）を事前に充填することができる。いくつかの他の例において、容器（２００）をカップ（２５０）中に最初に置いた後、固定流体（２５２）をカップ（６５０）に導入することができる。いずれかの事例において、固定流体（２５２）が容器（６００）の内面中にベント開口部（６１６、６２８、６３２）を介して直ちに通過することができることを理解するであろう。それにより、固定流体（２５２）は、容器（６００）中のトレイチャンバ（６３４）内に包含される組織試料に容易に到達して、これらの組織試料を浸漬させることができる。容器（６００）及び固定流体（２５２）がカップ（２５０）中にありながら、つぎに、操作者は、カップ蓋（２５４）をカップ（２５０）に固着させることにより、容器（６００）及び固定流体（２５２）をカップ（２５０）中でシールすることができる。容器（６００）及び固定流体（２５２）をカップ（２５０）中でシールした後、つぎにさらに処理するために、カップ（２５０）を別の位置に輸送し、保管のために取っておく、またはその他の方法により取り扱うことができる。
【０１１１】
図２１に最もよく示されるように、いくつかの例において、カップ（２５０）が複数の容器（６００）を受容することができることを理解するであろう。特に、本発明の例において、容器（２００）の横方向の幅は、カップ（２５０）の内周未満の所定の寸法にほぼ対応する。このため、容器（６００）の横方向の幅が１回に２つまでの容器（６００）をカップ（２５０）内に配置することができるように構成されることを理解するであろう。任意選択で、２つの容器（６００）をカップ（２５０）内に配置するときに、弓形構成において各容器（６００）によって画定される概ね円筒形の空間内のカップ（２５０）内に円筒形部材（６８０）を挿入することができる。円筒形部材（６８０）は、各容器（６００）に一般的に当接することにより、各容器を適所に保つように構成される。当然、円筒形部材（６８０）は、単に任意選択であり、いくつかの例において省かれることができる。
【０１１２】
Ｖ．例示的な組み合わせ
以下の例は、本明細書の教示を組み合わせまたは適用することができる様々な非網羅的な方法に関する。以下の例は、本願において、または本願に後続する出願においていつでも提示され得る任意の特許請求の範囲の適用範囲を限定することを意図してはいない旨を理解されたい。免責事項は意図されていない。以下の例は、単に例示を目的としたものにすぎない。本明細書における様々な教示は、他の多くの方法で配置及び適用され得ることが企図されている。また、いくつかの変形版は、以下の例で言及される特定の特徴を省いてもよいことが企図されている。したがって、後に発明者らによって、または対象となる発明者らの後継者によってそうであると別段に明白に示されていない限り、以下で言及される態様または特徴のいずれも決定的なものとみなすべきではない。以下に言及するものを超える追加の特徴を含む、本願または本願に関連する後続の提出物にいかなる特許請求の範囲が提示された場合でも、それらの追加の特徴は、特許性に関連する何らかの理由で追加されたと推定するものではない。
【０１１３】
実施例１．生検デバイスであって、前記生検デバイスが針及び組織試料ホルダアセンブリを含み、前記針は組織試料を取得して組織試料を前記組織試料ホルダアセンブリに通すように構成される、前記生検デバイスと、トレイであって、前記トレイは複数のストリップを含み、前記トレイは前記生検デバイスの前記組織試料ホルダアセンブリ内に受容されるように構成される、前記トレイと、容器であって、前記容器は複数のトレイ受容部を含み、各トレイ受容部は遠位端部、少なくとも１つのトレイ開口部を含む近位端部、及び前記近位端部と前記遠位端部との間に延在するトレイチャンバを含み、前記トレイチャンバは前記近位端部の前記トレイ開口部を通して前記トレイの少なくとも一部を受容するように構成される、前記容器とを備える、組織取得及び取り扱いシステム。
【０１１４】
実施例２．前記容器は、複数のベント開口部をさらに備え、前記複数のベント開口部のうちの少なくとも１つのベント開口部は、各トレイ受容部の前記遠位端部によって画定される、実施例１に記載のシステム。
【０１１５】
実施例３．各トレイ受容部は、上面及び底面をさらに備える、実施例２に記載のシステム。
【０１１６】
実施例４．前記複数のベント開口部のうちの少なくとも１つのベント開口部は、前記上面によって画定され、前記複数のベント開口部のうちの少なくとも１つのベント開口部は、前記底面によって画定される、実施例３に記載のシステム。
【０１１７】
実施例５．各トレイ受容部は、１組の側壁部、及び中央壁部をさらに備える、実施例３に記載のシステム。
【０１１８】
実施例６．各トレイ受容部の前記１組の側壁部及び前記中央壁部は、２つのトレイチャンバを画定する、実施例５に記載のシステム。
【０１１９】
実施例７．前記２つのトレイチャンバのうちの各トレイチャンバは、前記トレイの前記複数のストリップのうちの単一のストリップを受容するように構成される、実施例６に記載のシステム。
【０１２０】
実施例８．各トレイ受容部の前記近位端部の前記トレイ開口部は、前記トレイの少なくとも一部を摺動可能に受容するように構成される、実施例１から７のいずれか１項以上に記載のシステム。
【０１２１】
実施例９．各トレイ受容部は、各トレイ受容部の前記トレイチャンバ中に前記トレイを下ろすことによって前記トレイの少なくとも一部を受容するように構成される、実施例１から７のいずれか１項以上に記載のシステム。
【０１２２】
実施例１０．前記容器は、３つのトレイ受容部を含む、実施例１から９のいずれか１項以上に記載のシステム。
【０１２３】
実施例１１．前記トレイは、６つのストリップを含み、各トレイ受容部は、２つのストリップを受容するように構成される、実施例１０に記載のシステム。
【０１２４】
実施例１２．各トレイ受容部は、上面を含み、前記上面は、前記容器の本体に関して枢動可能である、実施例１から１１のいずれか１項以上に記載のシステム。
【０１２５】
実施例１３．各トレイ受容部の前記上面は、各トレイ受容部の各上面が一斉に前記本体に関して枢動するように構成されるように相互に連結される、実施例１２に記載のシステム。
【０１２６】
実施例１４．各トレイ受容部の各上面は、前記容器の前記本体に関して横方向に枢動可能である、実施例１２に記載のシステム。
【０１２７】
実施例１５．各トレイ受容部の各上面は、前記容器の前記本体に関して長手方向に枢動可能である、実施例１２に記載のシステム。
【０１２８】
実施例１６．組織試料トレイによる使用のための容器であって、前記組織試料トレイが組織試料を受容するように構成される複数のストリップを含み、容器本体、及び複数のトレイ受容部を備え、各トレイ受容部は遠位端部、近位端部、上面、底面、及び１組の側壁部及び中央壁部を含み、前記遠位端部、前記近位端部、前記上面、前記底面、前記１組の側壁部及び前記中央壁部のすべては１組のトレイチャンバを画定し、各トレイチャンバは前記試料トレイの前記複数のストリップのうちの１つのストリップを受容するように構成され、前記遠位端部、前記上面、または前記底面のうちの少なくとも１つは複数のベント開口部を画定し、前記複数のベント開口部は前記容器の外面と前記１組のトレイチャンバの少なくとも１つのトレイチャンバとの間で流体連通するように構成される、前記容器。
【０１２９】
実施例１７．前記上面または前記底面のうちの前記少なくとも１つは、前記複数のベント開口部を画定する、実施例１６に記載の容器。
【０１３０】
実施例１８．前記中央壁部は、各ベント開口部が前記１組のトレイチャンバの両方のトレイチャンバと連通するように各ベント開口部に関して配置される、実施例１７に記載の容器。
【０１３１】
実施例１９．各トレイ受容部の前記遠位端部は、前記複数のベント開口部のうちの前記ベント開口部の少なくともいくつかを画定し、前記遠位端部によって画定される前記ベント開口部は、円形形状を有する、実施例１６に記載の容器。
【０１３２】
実施例２０．組織試料トレイによる使用のための容器であって、前記組織試料トレイが組織試料を受容するように構成される複数のストリップを含み、容器本体と、複数のトレイ受容部であって、各トレイ受容部は上面、底面、１組の側壁部、及び前記１組の側壁部間に配置される中央壁部を含み、前記上面、前記底面、前記側壁部及び前記中央壁部のすべては１組のトレイチャンバを画定し、前記１組のトレイチャンバの各トレイチャンバは前記組織試料トレイの前記複数のストリップの１つのストリップを受容するように構成される、前記複数のトレイ受容部と、前記容器本体から近位に延在するタブであって、前記タブはラベルを受容するように構成される、前記タブと、を備える、前記容器。
【０１３３】
実施例２１．組織試料トレイによる使用のための容器であって、前記組織試料トレイが組織試料を受容するように構成される複数のストリップを含み、容器本体、及び複数のトレイ受容部を備え、各トレイ受容部は遠位端部、近位端部及び複数の壁部を含み、前記遠位端部、前記近位端部及び複数の壁部のすべては１組のトレイチャンバを画定し、各トレイチャンバは前記試料トレイの前記複数のストリップの１つのストリップを受容するように構成され、前記遠位端部の少なくとも１つ、または前記複数の壁部の１つ以上は複数のベント開口部を画定し、前記複数のベント開口部は前記容器の外面、及び前記１組のトレイチャンバの少なくとも１つのトレイチャンバから固定剤を通して少なくとも１つの組織試料を固定するように構成され、前記複数の壁部は前記試料トレイの前記複数のストリップの各ストリップを囲みそれぞれのトレイチャンバ内に前記少なくとも１つの組織試料を維持するように構成される、前記容器。
【０１３４】
実施例２２．前記複数の壁部は、上面及び底面を含み、前記上面または前記底面のうちの前記少なくとも１つは、前記複数のベント開口部を画定する、実施例２１に記載の容器。
【０１３５】
実施例２３．前記複数の壁部は、１組の側壁部間に配置される中央壁部をさらに備え、前記中央壁部は、各ベント開口部が前記１組のトレイチャンバの両方のトレイチャンバと連通するように各ベント開口部に関して配置される、実施例２２に記載の容器。
【０１３６】
実施例２４．各トレイ受容部の前記遠位端部は、前記複数のベント開口部のうちの前記ベント開口部の少なくともいくつかを画定し、前記遠位端部によって画定される前記ベント開口部は、円形形状を有する、実施例２１に記載の容器。
【０１３７】
実施例２５．１つ以上の生検試料を固定する方法であって、生検デバイスを使用して１つ以上の組織試料を試料トレイ内に採取することと、前記１つ以上の組織試料を前記試料トレイ内に採取した後に前記試料トレイをトレイ受容部中に挿入することと、固定剤が前記トレイ受容部に浸透して前記１つ以上の組織試料を囲むように、前記固定剤によって充填される容器中に前記試料トレイ及び前記トレイ受容部の組み合わせを挿入することと、を備える、前記方法。
【０１３８】
実施例２６．前記試料トレイ及びその中のトレイ受容部の前記組み合わせを受容した後、前記容器を病理検査室へ輸送するステップをさらに備える、実施例２５に記載の方法。
【０１３９】
実施例２７．前記試料トレイを前記トレイ受容部中に挿入する前に、前記試料トレイを弓形構成から平らな構成へ移行させるステップをさらに備える、実施例２５から２６のいずれか１項以上に記載の方法。
【０１４０】
実施例２８．前記試料トレイ及び前記トレイ受容部の前記組み合わせを前記容器中に挿入する前に、前記試料トレイ及び前記トレイ受容部の前記組み合わせを弓形構成に移行させるステップをさらに備える、実施例２５から２７のいずれか１項以上に記載の方法。
【０１４１】
実施例２９．前記試料トレイを前記トレイ受容部中に挿入する前記ステップは、前記試料トレイに関して前記トレイ受容部の少なくとも一部を移動させることにより、前記試料トレイの少なくとも一部を封入することをさらに備える、実施例２５から２８のいずれか１項以上に記載の方法。
【０１４２】
本発明の様々な実施形態を示し説明してきたが、本明細書に記載された方法及びシステムのさらなる適合は、本発明の範囲から逸脱することなく当業者による適切な修正により達成し得る。そのような潜在的な修正のいくつかについて言及してきたが、他のものは当業者にとって明白である。例えば、上述の例、実施形態、幾何学的形状、資料、寸法、比率、ステップなどは例示的なものであり、必須ではない。したがって、本発明の範囲は、以下の特許請求の範囲に関して考慮するべきであり、明細書及び図面に示し、説明した構造及び動作の詳細に限定されないことが理解される。
【０１４３】
本明細書に記載された器具の変形版のいずれも、上記のものに加えて、またはその代わりに、他の様々な特徴を含み得ることを理解されたい。また、単なる例として、本明細書に記載の器具のいずれも、本明細書に参照により組み入れられる様々な参考文献のいずれかに開示された様々な特徴のうちの１つ以上を含むことができる。本明細書における教示は、本明細書に引用される他の参考文献のいずれかに記載される任意の器具に容易に適用でき、その結果、本明細書における教示は、本明細書中に引用される任意の参考文献の教示と多数の様式で容易に組み合わせることができる旨を理解されたい。本明細書の教示を取り入れることができる他の種類の器具は当業者に明白である。
【０１４４】
参照により本明細書に組み込まれると言及しているいずれかの特許、刊行物、または他の開示の資料は、その全体または一部が、組み込まれた資料が既存の定義、声明、または本開示に記載しているその他の開示の資料と矛盾しない限りにおいてのみ本明細書に組み込まれることを理解されたい。したがって、また必要な限り、本明細書に明確に記載されている開示は、参照により本明細書に組み込まれたいかなる矛盾する資料に対して優先される。参照により本明細書に組み入れられると言及されているが、本明細書に記載されている既存の定義、声明、または他の開示の資料と矛盾する任意の資料、またはその一部は、その組み込まれた資料と既存の開示の資料との間に矛盾が生じない場合にのみ組み込まれる。
【０１４５】
〔実施の態様〕
（１）  組織取得及び取り扱いシステムであって、
（ａ）生検デバイスであって、前記生検デバイスが針、及び組織試料ホルダアセンブリを含み、前記針は組織試料を取得し、組織試料を前記組織試料ホルダアセンブリに通すように構成される、前記生検デバイスと、
（ｂ）トレイであって、前記トレイは複数のストリップを含み、前記トレイは前記生検デバイスの前記組織試料ホルダアセンブリ内に受容されるように構成される、前記トレイと、
（ｃ）容器であって、前記容器は複数のトレイ受容部を含み、
各トレイ受容部は、
（ｉ）遠位端部、
（ｉｉ）近位端部であって、前記近位端部は少なくとも１つのトレイ開口部を含む、前記近位端部、及び
（ｉｉｉ）前記近位端部と前記遠位端部との間に延在するトレイチャンバであって、前記トレイチャンバは前記近位端部の前記トレイ開口部を通して前記トレイの少なくとも一部を受容するように構成される、前記トレイチャンバ、
を含む、前記容器と、
を備える、前記システム。
（２）  前記容器は、複数のベント開口部をさらに備え、前記複数のベント開口部のうちの少なくとも１つのベント開口部は、各トレイ受容部の前記遠位端部によって画定される、実施態様１に記載のシステム。
（３）  各トレイ受容部は、上面及び底面をさらに備える、実施態様２に記載のシステム。
（４）  前記複数のベント開口部のうちの少なくとも１つのベント開口部は、前記上面によって画定され、前記複数のベント開口部のうちの少なくとも１つのベント開口部は、前記底面によって画定される、実施態様３に記載のシステム。
（５）  各トレイ受容部は、１組の側壁部、及び中央壁部をさらに備える、実施態様３に記載のシステム。
【０１４６】
（６）  各トレイ受容部の、前記１組の側壁部、及び前記中央壁部は、２つのトレイチャンバを画定する、実施態様５に記載のシステム。
（７）  前記２つのトレイチャンバのうちの各トレイチャンバは、前記トレイの前記複数のストリップのうちの単一のストリップを受容するように構成される、実施態様６に記載のシステム。
（８）  各トレイ受容部の前記近位端部の前記トレイ開口部は、前記トレイの少なくとも一部を摺動可能に受容するように構成される、実施態様１に記載のシステム。
（９）  各トレイ受容部は、各トレイ受容部の前記トレイチャンバ中に前記トレイを下ろすことによって前記トレイの少なくとも一部を受容するように構成される、実施態様１に記載のシステム。
（１０）  前記容器は、３つのトレイ受容部を含む、実施態様１に記載のシステム。
【０１４７】
（１１）  前記トレイは、６つのストリップを含み、各トレイ受容部は、２つのストリップを受容するように構成される、実施態様１０に記載のシステム。
（１２）  各トレイ受容部は、上面を含み、前記上面は、前記容器の本体に関して枢動可能である、実施態様１に記載のシステム。
（１３）  各トレイ受容部の前記上面は、各トレイ受容部の各上面が一斉に前記本体に関して枢動するように構成されるように相互に連結される、実施態様１２に記載のシステム。
（１４）  各トレイ受容部の各上面は、前記容器の前記本体に関して横方向に枢動可能である、実施態様１２に記載のシステム。
（１５）  各トレイ受容部の各上面は、前記容器の前記本体に関して長手方向に枢動可能である、実施態様１２に記載のシステム。
【０１４８】
（１６）  組織試料トレイによる使用のための容器であって、
前記組織試料トレイが組織試料を受容するように構成される複数のストリップを含み、
（ａ）容器本体、及び
（ｂ）複数のトレイ受容部、
を備え、
各トレイ受容部は、
（ｉ）遠位端部、
（ｉｉ）近位端部、及び
（ｉｉｉ）複数の壁部、
を備え、
前記遠位端部、前記近位端部、複数の壁部のすべては１組のトレイチャンバを画定し、各トレイチャンバは前記試料トレイの前記複数のストリップの１つのストリップを受容するように構成され、
前記遠位端部のうちの少なくとも１つ、または前記複数の壁部のうちの１つ以上は複数のベント開口部を画定し、前記複数のベント開口部は前記容器の外面、及び前記１組のトレイチャンバのうちの少なくとも１つのトレイチャンバから固定剤を通し、少なくとも１つの組織試料を固定するように構成され、前記複数の壁部は前記試料トレイの前記複数のストリップの各ストリップを囲み、前記少なくとも１つの組織試料をそれぞれのトレイチャンバ内に維持するように構成される、
前記容器。
（１７）  前記複数の壁部は、上面及び底面を含み、前記上面または前記底面のうちの前記少なくとも１つは、前記複数のベント開口部を画定する、実施態様１６に記載の前記容器。
（１８）  前記複数の壁部は、１組の側壁部間に配置される中央壁部をさらに備え、前記中央壁部は、各ベント開口部が前記１組のトレイチャンバの両方のトレイチャンバと連通するように各ベント開口部に関して配置される、実施態様１７に記載の前記容器。
（１９）  各トレイ受容部の前記遠位端部は、前記複数のベント開口部のうちの前記ベント開口部の少なくともいくつかを画定し、前記遠位端部によって画定される前記ベント開口部は、円形形状を有する、実施態様１６に記載の前記容器。
（２０）  組織試料トレイによる使用のための容器であって、
前記組織試料トレイが組織試料を受容するように構成される複数のストリップを含み、
（ａ）容器本体と、
（ｂ）複数のトレイ受容部であって、各トレイ受容部は、
（ｉ）上面、
（ｉｉ）底面、
（ｉｉｉ）１組の側壁部、及び
（ｉｖ）前記１組の側壁部間に配置される中央壁部、
を含み、前記上面、前記底面、前記側壁部、及び前記中央壁部のすべては１組のトレイチャンバを画定し、前記１組のトレイチャンバの各トレイチャンバは前記組織試料トレイの前記複数のストリップの１つのストリップを受容するように構成される、前記複数のトレイ受容部と、
（ｃ）前記容器本体から近位に延在するタブであって、前記タブはラベルを受容するように構成される、前記タブと、
を備える、前記容器。
【０１４９】
（２１）  １つ以上の生検試料を固定する方法であって、
（ａ）生検デバイスを使用して、１つ以上の組織試料を試料トレイ内に採取することと、
（ｂ）前記１つ以上の組織試料を前記試料トレイ内に採取した後、前記試料トレイをトレイ受容部中に挿入することと、
（ｃ）固定剤が前記トレイ受容部に浸透し、前記１つ以上の組織試料を囲むように、前記固定剤によって充填される容器中に前記試料トレイ及び前記トレイ受容部の前記組み合わせを挿入することと、
を備える、前記方法。
（２２）  前記試料トレイ及びその中のトレイ受容部の前記組み合わせを受容した後、前記容器を病理検査室へ輸送するステップをさらに備える、実施態様２１に記載の方法。
（２３）  前記試料トレイを前記トレイ受容部中に挿入する前に、前記試料トレイを弓形構成から平らな構成へ移行させるステップをさらに備える、実施態様２１に記載の方法。
（２４）  前記試料トレイ及び前記トレイ受容部の前記組み合わせを前記容器中に挿入する前に、前記試料トレイ及び前記トレイ受容部の前記組み合わせを弓形構成に移行させるステップをさらに備える、実施態様２１に記載の方法。
（２５）  前記試料トレイを前記トレイ受容部中に挿入する前記ステップは、前記試料トレイに関して前記トレイ受容部の少なくとも一部を移動させることにより、前記試料トレイの少なくとも一部を封入することをさらに備える、実施態様２１に記載の方法。
【図１】
2019534119.tif 000003
【図２】
2019534119.tif 000004
【図３】
2019534119.tif 000005
【図４】
2019534119.tif 000006
【図５】
2019534119.tif 000007
【図６】
2019534119.tif 000008
【図７】
2019534119.tif 000009
【図８】
2019534119.tif 000010
【図９】
2019534119.tif 000011
【図１０】
2019534119.tif 000012
【図１１】
2019534119.tif 000013
【図１２】
2019534119.tif 000014
【図１３】
2019534119.tif 000015
【図１４】
2019534119.tif 000016
【図１５】
2019534119.tif 000017
【図１６】
2019534119.tif 000018
【図１７】
2019534119.tif 000019
【図１８】
2019534119.tif 000020
【図１９】
2019534119.tif 000021
【図２０】
2019534119.tif 000022
【図２１】
2019534119.tif 000023
【国際調査報告】
2019534119.tif 000024
2019534119.tif 000025
2019534119.tif 000026
2019534119.tif 000027
2019534119.tif 000028